(57)【要約】説明されるのは、符号化されたデータが、排出物データおよび識別データを入手するために処理される、方法、少なくとも１つの排出物生成エンティティ（ＥＧＥ）（１０６）に関連する排出物データおよび識別データを符号化し、遠隔通信ネットワーク・エンティティを介して排出物データ収集監視（ＥＤＣＭ）システム（１０４）に符号化されたデータを送信する、排出物データ符号化送信（ＥＤＥＴ）システム（１０２）の実施形態である。一実施形態によれば、この方法は、少なくとも１つのＥＧＥ（１０６）に関連する排出物データおよび識別データを入手するステップと、少なくとも部分的に排出物データおよび識別データを含む符号化されたメッセージを生成するステップと、符号化されたメッセージを遠隔通信ネットワーク・エンティティに送信するステップとを含む。一実施形態では、この方法は、符号化されたメッセージを遠隔通信ネットワーク・エンティティから受信するステップと、排出物データおよび識別データを入手するために符号化されたメッセージを処理するステップと、入手されたデータをさまざまな目的に使用するステップとを含む。
2015504191.tif 000002
【特許請求の範囲】
【請求項１】
プロセッサ（２０２−１）と、
前記プロセッサ（２０２−１）に接続されたメモリ（２０６−１）であって、前記メモリ（２０６−１）は、
排出物データを入手するように構成された排出物データ獲得モジュール（２１２）であって、前記排出物データは、少なくとも１つの排出物生成エンティティ（ＥＧＥ）１０６に関連する、排出物データ獲得モジュール（２１２）と、
少なくとも部分的に前記排出物データを含む符号化されたメッセージを生成するように構成された符号化モジュール（１１０）と、
前記符号化されたメッセージを遠隔通信ネットワーク・エンティティに送信するように構成された送信モジュール（２１６）と
を含む、メモリ（２０６−１）と
を含む、排出物データ符号化送信（ＥＤＥＴ）システム（１０２）。
【請求項２】
前記符号化されたメッセージは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのＬｏｃａｔｉｏｎ  Ｕｐｄａｔｅ（ＧＬＵ）メッセージであり、前記ＧＬＵメッセージ内で、Ｌｏｃａｔｉｏｎ  Ｕｐｄａｔｅ  Ｔｙｐｅは、値３に構成され、Ｌｏｃａｔｉｏｎ  Ａｒｅａ  Ｉｄｅｎｔｉｆｉｃａｔｉｏｎは、排出物データを用いて構成される、請求項１に記載のＥＤＥＴシステム（１０２）。
【請求項３】
前記ＥＤＥＴシステム（１０２）は、ワイヤレス通信デバイスである、請求項１に記載のＥＤＥＴシステム（１０２）。
【請求項４】
前記ＥＤＥＴシステム（１０２）は、前記少なくとも１つのＥＧＥ（１０６）に関連する前記排出物データを入手するために排出物読取デバイス（１０８）に通信的に接続され、前記排出物データは、大気汚染物、水汚染物、および土壌汚染物のうちの少なくとも１つの量を含む、請求項１に記載のＥＤＥＴシステム（１０２）。
【請求項５】
前記排出物データ獲得モジュール（２１２）は、排出物読取デバイス（１０８）を含む、請求項１に記載のＥＤＥＴシステム（１０２）。
【請求項６】
ＥＧＥ識別データを入手するように構成された識別データ獲得モジュール（２１４）をさらに含み、前記ＥＧＥ識別データは、前記少なくとも１つのＥＧＥ（１０６）に関連し、前記符号化されたメッセージは、少なくとも部分的に、前記ＥＧＥ識別データをさらに含む、請求項１に記載のＥＤＥＴシステム（１０２）。
【請求項７】
前記遠隔通信ネットワーク・エンティティは、基地局制御装置（ＢＳＣ）、無線基地局（ＢＴＳ）、Ｍｏｂｉｌｅ  Ｓｗｉｔｃｈ  Ｃｅｎｔｅｒ（ＭＳＣ）、Ｖｉｓｉｔｉｎｇ  Ｌｏｃａｔｉｏｎ  Ｒｅｇｉｓｔｅｒ（ＶＬＲ）、無線ネットワーク制御装置（ＲＮＣ）、Ｎｏｄｅ  Ｂのうちの１つまたは複数を含む、請求項１に記載のＥＤＥＴシステム（１０２）。
【請求項８】
プロセッサ（２０２−２）と、
前記プロセッサ（２０２−２）に接続されたメモリ（２０６−２）であって、前記メモリ（２０６−２）は、
遠隔通信ネットワーク・エンティティから符号化されたメッセージを受信するように構成された情報受信モジュール（２２０）であって、前記符号化されたメッセージは、少なくとも部分的に、少なくとも１つの排出物生成エンティティ（ＥＧＥ）（１０６）に関連する排出物データおよびＥＧＥ識別データを含む、情報受信モジュール（２２０）と、
前記排出物データおよび前記ＥＧＥ識別データを入手するために前記符号化されたメッセージを処理するように構成された復号モジュール（１１４）と
を含む、メモリ（２０６−２）と
を含む、排出物データ収集監視（ＥＤＣＭ）システム（１０４）。
【請求項９】
前記符号化されたメッセージは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのＬｏｃａｔｉｏｎ  Ｕｐｄａｔｅ（ＧＬＵ）メッセージである、請求項８に記載のＥＤＣＭシステム（１０４）。
【請求項１０】
前記少なくとも１つのＥＧＥ（１０６）に関連する前記排出物データを事前定義の排出物限度と比較することによって、前記少なくとも１つのＥＧＥ（１０６）の排出物の重大度レベルを計算するように構成された計算モジュール（２２２）をさらに含む、請求項８に記載のＥＤＣＭシステム（１０４）。
【請求項１１】
通知システム（１１８）、金融システム（１２０）、統計レポート生成システム（１２２）、炭素クレジット計算システム（１２４）、および車両追跡システムのうちの１つまたは複数と通信するように構成された通信モジュール（２２４）をさらに含む、請求項８に記載のＥＤＣＭシステム（１０４）。
【請求項１２】
前記通信モジュール（２２４）は、Ｅｘｔｅｎｓｉｂｌｅ  Ｍａｒｋ−ｕｐ  ＬａｎｇｕａｇｅインターフェースおよびＤｉａｍｅｔｅｒインターフェースのうちの少なくとも１つを介して前記金融システム（１２０）と通信する、請求項１１に記載のＥＤＣＭシステム（１０４）。
【請求項１３】
少なくとも１つの排出物生成エンティティ（ＥＧＥ）（１０６）に関連する排出物データを入手するステップと、
前記少なくとも１つのＥＧＥ（１０６）に関連するＥＧＥ識別データを入手するステップと、
少なくとも部分的に前記排出物データおよび前記ＥＧＥ識別データを含む符号化されたメッセージを生成するステップと、
前記符号化されたメッセージを遠隔通信ネットワーク・エンティティに送信するステップと
を含む方法。
【請求項１４】
前記符号化されたメッセージは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのＬｏｃａｔｉｏｎ  Ｕｐｄａｔｅ（ＧＬＵ）メッセージであり、前記ＧＬＵメッセージ内のＬｏｃａｔｉｏｎ  Ｕｐｄａｔｉｎｇ  Ｔｙｐｅは、構成される、請求項１３に記載の方法。
【請求項１５】
前記ＧＬＵメッセージ内で、Ｌｏｃａｔｉｏｎ  Ａｒｅａ  Ｉｄｅｎｔｉｆｉｃａｔｉｏｎは、前記排出物データを用いて構成され、Ｍｏｂｉｌｅ  Ｉｄｅｎｔｉｔｙは、前記ＥＧＥ識別データを用いて構成される、請求項１３に記載の方法。
【請求項１６】
遠隔通信ネットワーク・エンティティからＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのＬｏｃａｔｉｏｎ  Ｕｐｄａｔｅ（ＧＬＵ）メッセージを受信するステップであって、前記ＧＬＵメッセージは、少なくとも部分的に、少なくとも１つの排出物生成エンティティ（ＥＧＥ）（１０６）に関連する排出物データおよびＥＧＥ識別データを含む、ステップと、
前記少なくとも１つのＥＧＥ（１０６）に関連する前記排出物データおよび前記ＥＧＥ識別データを入手するために前記ＧＬＵメッセージを処理するステップと
を含む方法。
【請求項１７】
前記少なくとも１つのＥＧＥ（１０６）の所有者に処罰措置を課し、前記少なくとも１つのＥＧＥ（１０６）の前記所有者に通知を送信するために、前記排出物データを事前定義の排出物限度と比較することによって排出物の重大度レベルを計算するステップと、
前記排出物データに関する統計およびレポートを生成するために、前記排出物データおよび前記ＥＧＥ識別データを外部サーバに通信するステップと、
前記少なくとも１つのＥＧＥ（１０６）の炭素クレジットを計算し、監視するために、前記排出物データおよび前記ＥＧＥ識別データを外部サーバに通信するステップと
のうちの１つまたは複数をさらに含む、請求項１６に記載の方法。
【請求項１８】
実行された時に、
少なくとも１つの排出物生成エンティティ（ＥＧＥ）（１０６）に関連する排出物データを入手する行為と、
前記少なくとも１つのＥＧＥ（１０６）に関連するＥＧＥ識別データを入手する行為と、
少なくとも部分的に前記排出物データおよびＥＧＥ識別データを含む、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのＬｏｃａｔｉｏｎ  Ｕｐｄａｔｅ（ＧＬＵ）メッセージを生成する行為と、
前記ＧＬＵメッセージを遠隔通信ネットワーク・エンティティに送信する行為と
を含む行為を実行するコンピュータ実行可能命令を有するコンピュータ可読媒体。
【請求項１９】
実行された時に、
遠隔通信ネットワーク・エンティティからＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースのＬｏｃａｔｉｏｎ  Ｕｐｄａｔｅ（ＧＬＵ）メッセージを受信する行為であって、前記ＧＬＵメッセージは、少なくとも部分的に、少なくとも１つの排出物生成エンティティ（ＥＧＥ）（１０６）に関連する排出物データおよびＥＧＥ識別データを含む、行為と、
前記少なくとも１つのＥＧＥ（１０６）に関連する前記排出物データおよび前記ＥＧＥ識別データを入手するために前記ＧＬＵメッセージを処理する行為と
を含む行為を実行し、
少なくとも１つの事前定義のプロセスについて前記排出物データおよび前記ＥＧＥ識別データを通信する
コンピュータ実行可能命令を有するコンピュータ可読媒体。
【発明の詳細な説明】
【技術分野】
【０００１】
本主題は、排出物の報告および監視のシステムおよび方法に関し、排他的ではなく具体的には、遠隔通信ネットワークを介する有害な自動車排出物および産業排出物の報告および監視に関する。
【背景技術】
【０００２】
環境汚染の大多数は、大気、水、および土壌への有害物質の放出によって引き起こされる。環境に放出される有害物質は、浮遊粒子状物質（ＳＰＭ）、二酸化炭素（ＣＯ２）、一酸化炭素（ＣＯ）、窒素酸化物（ＮＯｘ）、および硫黄酸化物（ＳＯｘ）などの有害ガス、毒性金属および放射性廃棄物などの生物分解性でない有毒廃棄物、その他を含む。大気中に有害ガスを放出し、水中および土壌中に有毒の生物分解性でない廃棄物を放出する自動車、オートバイ、バス、トラック、航空機、船舶などを含む自動車両、製造産業、および発電プラントは、環境汚染の主な要因である。大気中の有害ガスの排出に起因する環境汚染は、地球温暖化に加えてさまざまな環境障害および健康障害につながり、したがって、世界中の懸念の原因である。
【０００３】
通常、ほとんどの国の政府によって課せられる汚染防止政策がある。これらの汚染防止政策は、汚染を放出する自動車両および産業に、標準化された汚染規範を課する。自動車両および産業は、そのような汚染防止政策を厳守する義務を負い、それらが大気中、水中、および土壌中に放出する有害ガスおよび他の有毒廃棄物の量を制御することを要求される。自動車両および／または産業が、標準化された汚染規範に従わないことがわかった場合には、適切な罰、たとえば罰金が、それらに科せられる可能性がある。
【発明の概要】
【課題を解決するための手段】
【０００４】
この課題を解決するための手段は、遠隔通信ネットワークを介する排出物の報告および監視に関する概念を導入するために提供されるものである。この課題を解決するための手段は、請求される主題の本質的特徴を識別することを意図されたものではなく、請求される主題の範囲を決定しまたは限定する際の使用を意図されたものでもない。
【０００５】
本主題の実施形態によれば、排出物生成エンティティ（ｅｍｉｓｓｉｏｎ  ｇｅｎｅｒａｔｉｎｇ  ｅｎｔｉｔｙ、ＥＧＥ）に関連する排出物データを符号化し、符号化されたデータを遠隔通信ネットワーク・エンティティを介して送信するように構成された排出物データ符号化送信（ｅｍｉｓｓｉｏｎ  ｄａｔａ  ｅｎｃｏｄｉｎｇ  ａｎｄ  ｔｒａｎｓｍｉｓｓｉｏｎ、ＥＤＥＴ）システムが説明される。排出物データ符号化送信システムは、少なくとも１つのＥＧＥに関連する排出物データを入手するように構成される。排出物データ符号化送信システムは、少なくとも部分的に排出物データを含む符号化されたメッセージを生成し、符号化されたメッセージを遠隔通信ネットワーク・エンティティに送信するようにも構成される。一実施形態では、符号化されたメッセージは、Ｇｌｏｂａｌ  Ｓｙｓｔｅｍ  ｆｏｒ  Ｍｏｂｉｌｅ  ＣｏｍｍｕｎｉｃａｔｉｏｎベースのＬｏｃａｔｉｏｎ  Ｕｐｄａｔｅ（ＧＬＵ）メッセージである。さらに、一実施形態では、排出物データ符号化送信システムは、少なくとも１つのＥＧＥに関連する識別データを入手するように構成され、符号化されたメッセージは、少なくとも部分的に、識別データを含む。
【０００６】
本主題のもう１つの実施形態によれば、排出物データ収集監視（ｅｍｉｓｓｉｏｎ  ｄａｔａ  ｃｏｌｌｅｃｔｉｏｎ  ａｎｄ  ｍｏｎｉｔｏｒｉｎｇ、ＥＤＣＭ）システムが説明される。排出物データ収集監視システムは、遠隔通信ネットワーク・エンティティから符号化されたメッセージを受信するように構成される。符号化されたメッセージは、少なくとも部分的に、少なくとも１つのＥＧＥに関連する排出物データおよび識別データを含む。排出物データ収集監視システムは、排出物データおよび識別データを入手するために符号化されたメッセージを処理するようにも構成される。一実施形態では、符号化されたメッセージは、ＧＬＵメッセージである。さらに、一実施形態では、排出物データ収集監視システムは、排出物データを事前定義の排出物限度と比較することによって、少なくとも１つのＥＧＥの排出物の重大度レベルを計算するように構成される。さらに、一実施形態では、排出物データ収集監視システムは、通知システム、金融システム、統計レポート生成システム、炭素クレジット計算システム、および車両追跡システムのうちの１つまたは複数と通信するように構成される。
【０００７】
本主題のもう１つの実施形態によれば、方法は、少なくとも１つのＥＧＥに関連する排出物データおよび識別データを入手するステップと、少なくとも部分的に排出物データおよび識別データを含む符号化されたメッセージを生成するステップと、さらに、符号化されたメッセージを遠隔通信ネットワーク・エンティティに送信するステップとを含む。一実施形態では、符号化されたメッセージは、ＧＬＵメッセージであり、ＧＬＵメッセージ内のＬｏｃａｔｉｏｎ  Ｕｐｄａｔｉｎｇ  Ｔｙｐｅ（ＬＵＴ）が構成される。さらに、一実施形態では、Ｌｏｃａｔｉｏｎ  Ａｒｅａ  Ｉｄｅｎｔｉｆｉｃａｔｉｏｎ（ＬＡＩ）は、排出物データで構成され、Ｍｏｂｉｌｅ  Ｉｄｅｎｔｉｔｙ（ＭＩ）は、識別データで構成される。
【０００８】
本主題のもう１つの実施形態によれば、方法は、遠隔通信ネットワーク・エンティティからＧＬＵメッセージを受信するステップを含む。ＧＬＵメッセージは、少なくとも部分的に、少なくとも１つのＥＧＥに関連する排出物データおよび識別データを含む。方法は、少なくとも１つのＥＧＥに関連する排出物データおよび識別データを入手するためにＧＬＵメッセージを処理するステップをさらに含む。
【０００９】
本主題のもう１つの実施形態によれば、コンピュータ可読命令のセットを有するコンピュータ可読媒体が開示される。コンピュータ可読媒体上のコンピュータ可読命令は、実行された時に、少なくとも１つのＥＧＥに関連する排出物データを入手する行為と、少なくとも１つのＥＧＥ１０６に関連する識別データを入手する行為と、少なくとも部分的に排出物データおよび識別データを含む、ＧＬＵメッセージを生成する行為と、ＧＬＵメッセージを遠隔通信ネットワーク・エンティティに送信する行為とを含む行為を実行する。
【００１０】
本主題のもう１つの実施形態によれば、コンピュータ可読命令のセットを有するコンピュータ可読媒体が開示される。コンピュータ可読媒体上のコンピュータ可読命令は、実行された時に、遠隔通信ネットワーク・エンティティからＧＬＵメッセージを受信する行為を含む行為を実行する。ＧＬＵメッセージは、少なくとも部分的に、少なくとも１つのＥＧＥ１０６に関連する排出物データおよび識別データを含む。行為は、少なくとも１つのＥＧＥ１０６に関連する排出物データおよび識別データを入手するためにＧＬＵメッセージを処理する行為を含み、少なくとも１つの事前定義のプロセスについて排出物データおよび識別データを通信することもできる。
【００１１】
発明を実施するための形態を、添付図面を参照して説明する。図面では、符号の左端の桁（１つまたは複数）が、その符号が初めて現れる図面を識別する。同一の符号が、すべての図面を通じて、同様の特徴および構成要素を参照するのに使用される。本主題の実施形態によるシステムおよび／または方法のいくつかの実施形態を、例としてのみ、添付図面を参照してこれから説明する。
【図面の簡単な説明】
【００１２】
【図１】本主題の一実施形態による、排出物報告監視（ｅｍｉｓｓｉｏｎ  ｒｅｐｏｒｔｉｎｇ  ａｎｄ  ｍｏｎｉｔｏｒｉｎｇ、ＥＲＭ）システムを概略的に示す図である。
【図２】本主題の一実施形態による、排出物データ符号化送信（ＥＤＥＴ）システムおよび排出物データ収集監視（ＥＤＣＭ）システムを示す図である。
【図３】本主題の一実施形態による、ＧＳＭネットワーク内のＥＤＥＴシステムとＥＤＣＭシステムとの間の通信を示すコール・フロー図である。
【図４】本主題の一実施形態による、ＥＤＣＭシステムと金融システムとの間の通信を示すメッセージ・フロー図である。
【図５】本主題の一実施形態による、排出物生成エンティティ（ＥＧＥ）に関連する排出物データおよびＥＧＥ識別データの符号化および送信の方法を示す図である。
【図６】本主題の一実施形態による、ＥＧＥに関連する排出物データおよびＥＧＥ識別データの収集および監視の方法を示す図である。
【発明を実施するための形態】
【００１３】
当業者は、本明細書のすべてのブロック図が、本主題の原理を実施する例示的システムの概念図を表すことを了解するに違いない。同様に、すべてのフロー・チャート、流れ図、状態遷移図、擬似コード、および類似物が、実質的にコンピュータ可読媒体内で表され、したがって、コンピュータまたはプロセッサが明示的に図示されていようといまいと、そのようなコンピュータまたはプロセッサによって実行され得るさまざまなプロセスを表すことを了解されたい。
【００１４】
本主題は、遠隔通信ネットワークを介して排出物生成エンティティ（ＥＧＥ）からの排出物を報告し、監視するシステムおよび方法に関する。車両、製造産業、発電プラントなどのＥＧＥは、大気中に有害物質を放出して、環境汚染を引き起こす。そのようなＥＧＥによって放出される有害物質は、廃液、浮遊粒子状物質（ＳＰＭ）、二酸化炭素（ＣＯ２）、一酸化炭素（ＣＯ）、窒素酸化物（ＮＯｘ）、硫黄酸化物（ＳＯｘ）、およびアンモニアなどのガス、その他を含む。通常、ＥＧＥは、それぞれの管轄区内で課せられる規定された汚染規範を厳守することを要求される。各管轄区は、それ自体の汚染規範を有する場合があり、あるいは、世界的な汚染規範に従う場合がある。さらに、ＥＧＥは、それぞれの管轄区によって定められた規範により、ＥＧＥによって生成される汚染物に従って、炭素クレジットを維持することを要求される場合がある。
【００１５】
ＥＧＥによって放出される有害物質のレベルの監視は、環境汚染、人間および自然に対する環境汚染の影響をチェックし、ＥＧＥ所有者の間の炭素クレジットの取引の機構を容易にするのに重要である。通常、排出物の監視、たとえば、さまざまなＥＧＥに関する排出物データの測定、記録、およびコンパイルは、手作業で行われ、汚染防止当局など、政府当局によってＥＧＥごとに個別の基礎で行われる。そのような政府当局は、排出物レベルが規定された汚染規範を超える場合に、ＥＧＥに警告を発し、かつ／または罰金を科することができる。
【００１６】
通常、車両などの可動のＥＧＥからの排出物を監視するために、車両は、汚染防止当局によって設置された汚染物検査ステーション（ｐｏｌｌｕｔｉｏｎ  ｃｈｅｃｋｉｎｇ  ｓｔａｔｉｏｎ）まで運転される。ステーションでは、車両からの排出物が、測定され、課せられる汚染規範に基づいて規定された排出物限度と比較される。車両排出物を測定するために、通常のガス分析器を有して構成された検出プローブを、車両の排気管内に挿入することができる。検出プローブは、ＳＰＭおよび、従来温室効果ガスとして知られるＣＯ、ＣＯ２、ＮＯｘ、およびＳＯｘなどのさまざまなガスの量を測定する。
【００１７】
測定および規定された排出物限度との比較に基づいて、車両排出物レポートを、汚染物検査ステーションでローカルに生成することができる。レポートが、車両からの排出物が規定された排出物限度を超えることを示す場合には、車両所有者は、排出物レベルを制御する手段を講じるように求められる。たとえば、車両所有者は、車両を点検させかつ／またはオーバーホールさせることを求められる可能性がある。さらに、規定された排出物限度を超えたことに関して、適切な罰金が車両所有者に科せられる可能性があり、車両が使用に不適当と宣言される可能性があり、あるいは、車両が汚染防止当局によって没収される可能性がある。その一方で、レポートが、車両からの排出物が規定された排出物限度未満であることを示す場合には、制御下汚染の証明書が、その車両に関して発行され、その車両は、使用に適すると宣言される。
【００１８】
通常、工場および発電所などの静的ＥＧＥからの排出物を監視するために、汚染物測定センサを、排出の点に設置することができる。たとえば、ガス分析器などの汚染物測定センサが、ガスおよび他の有害物質がそこから発する煙突内に設置される。汚染物測定センサは、工場または発電所から放出される廃液およびガスを含む有害物質の量を測定する。測定は、連続的または周期的とすることができる。通常、汚染防止当局は、静的ＥＧＥに設置された汚染物測定センサから入手された排出物値を個別に監視する。排出物値は、規定された排出物限度と比較され、この比較に基づいて、汚染防止当局は、排出物レポートを発行する。このレポートから、静的ＥＧＥからの排出物が規定された排出物限度を超えることが明白である場合には、ＥＧＥの所有者は、排出物レベルを制御する手段を講じるように求められる。さらに、可動ＥＧＥの文脈で説明したように、規定された排出物限度を超えたことに関して、適切な罰金がＥＧＥ所有者に科せられる可能性がある。その一方で、レポートが、排出物が規定された排出物限度未満であることを示す場合には、制御下汚染の証明書が、そのＥＧＥに関して発行され、そのＥＧＥは、クリーンＥＧＥとして宣言され得る。
【００１９】
従来のシステムおよび方法を介する大規模なＥＧＥからの排出物の報告および監視、たとえば、全国規模の監視および報告は、大規模インフラストラクチャを必要とし、大量の手作業の労力を伴う。さらに、従来のシステムおよび方法は、時間がかかり、限られたカバレージおよび遠隔区域および多数の中小企業（ＳＭＥ）への限られたアクセスを伴い、非効率的であり、高コストであり、人間の誤りをこうむりがちであり、排出物レポート内の排出物値の偽造の可能性があり、炭素クレジットに関するデータの変造の可能性がある。
【００２０】
ＥＧＥからの排出物を報告し、監視するシステムおよび方法を、本明細書で説明する。前に説明したように、排出物は、ＥＧＥによって放出されて環境を汚染する、温室効果ガス、廃液、および有毒廃棄物などの有害物質を含む。本主題のシステムおよび方法は、遠隔通信ネットワークを利用して、ＥＧＥに関連する排出物データを通信する。本明細書で説明されるシステムおよび方法は、ＥＧＥからの排出物の効率的でリアルタイムの報告および監視を可能にし、排出物防止政策を大規模に統一的に実施し、規則化して、環境汚染を制御できるようにする。
【００２１】
本主題の実施態様によれば、排出物報告監視（ＥＲＭ）システムは、１つまたは複数の排出物データ符号化送信（ＥＤＥＴ）システムと、少なくとも１つの排出物データ収集監視（ＥＤＣＭ）システムとを含む。ＥＤＥＴシステムは、少なくともＥＧＥに関連する排出物データを、遠隔通信ネットワーク・エンティティに送信できるフォーマットで符号化するように構成される。排出物データは、ＥＧＥによって放出される汚染物の詳細を含むデータと理解することができる。ＥＤＣＭシステムは、遠隔通信ネットワーク・エンティティから符号化されたデータを受信し、符号化されたデータを処理して、ＥＧＥに関連する排出物データを復号するように構成される。ＥＤＣＭシステムは、複数のＥＧＥに関連する排出物データを収集し、ＥＧＥによって生成される排出物を大きいスケールで監視することができる。
【００２２】
本明細書で説明されるシステムおよび方法のうちの１つまたは複数を、通信デバイスおよびコンピューティング・システムまたはコンピューティング・デバイスなどのさまざまなエンティティ内で実施することができる。説明される方法（１つまたは複数）を実施できるエンティティは、デスクトップ・コンピュータ、ハンドヘルド・デバイス、ラップトップまたは他のポータブル・コンピュータ、タブレット・コンピュータ、携帯電話機、ＰＤＡ、スマート・フォン、および類似物を含むが、これらに限定はされない。さらに、本明細書で説明される１つまたは複数の方法を、異なる通信デバイスおよびコンピューティング・システムに接続性を提供するためにデータを交換できるデバイスによって実施することもできる。そのようなデバイスは、データ・カード、モバイル・アダプタ、ワイヤレス・アダプタ、ルータ、および類似物を含むが、これらに限定はされない。本明細書の説明は、ハンドヘルド通信デバイスなどの通信デバイスを参照して説明されるが、当業者によって理解されるように、説明されるシステム（１つまたは複数）および方法（１つまたは複数）を、任意の他のデバイス内で実施することもできる。
【００２３】
本明細書で説明されるシステムおよび方法を、さまざまな通信デバイスおよび／またはコンピューティング・システムもしくはコンピューティング・デバイスを使用するさまざまな遠隔通信ネットワーク内で実施することができる。また、そのシステムおよび方法を、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）ネットワーク、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）ネットワーク、Ｌｏｎｇ  Ｔｅｒｍ  Ｅｖｏｌｕｔｉｏｎ（ＬＴＥ）ネットワーク、Ｐｅｒｓｏｎａｌ  Ｃｏｍｍｕｎｉｃａｔｉｏｎｓ  Ｓｅｒｖｉｃｅ（ＰＣＳ）ネットワーク、時分割多元接続（ＴＤＭＡ）ネットワーク、符号分割多元接続（ＣＤＭＡ）ネットワーク、Ｎｅｘｔ  Ｇｅｎｅｒａｔｉｏｎ  Ｎｅｔｗｏｒｋ（ＮＧＮ）、公衆交換電話網（ＰＳＴＮ）、およびサービス総合デジタル網（ＩＳＤＮ）などの通信ネットワークのいずれにおいても実施することができる。本明細書の説明は、ある種のネットワークを参照するが、当業者によって理解されるように、少数の変更を伴うが、そのシステムおよび方法を、他のネットワークおよびデバイス内で実施することができる。
【００２４】
一実施態様では、ＥＤＥＴシステムは、ＥＧＥに関連する識別データをその排出物データと一緒に入手する。識別データは、ＥＧＥの一意アイデンティティを示す。以下では、ＥＧＥに関連する識別データを、ＥＧＥ識別データと称する場合がある。ＥＤＥＴシステムは、入手した排出物データおよびＥＧＥ識別データを、符号化されたメッセージとして符号化し、この符号化されたメッセージは、遠隔通信ネットワーク・エンティティに通信され得る。一実施態様では、遠隔通信ネットワーク・エンティティへの符号化されたメッセージの通信は、無線通信リンクを介するものとすることができる。当業者によって了解されるように、符号化されたメッセージは、遠隔通信プロトコルによるものとすることができる。一実施態様では、ＥＤＥＴシステムは、少なくとも排出物データの送信に関して標準ＧＳＭプロトコル・メッセージを使用してＧＳＭプロトコルを実施することができ、遠隔通信ネットワーク・エンティティは、ＧＳＭネットワークのＶＭＳＣ／ＶＬＲ（Ｖｉｓｉｔｅｄ  Ｍｏｂｉｌｅ  Ｓｗｉｔｃｈｉｎｇ  Ｃｅｎｔｅｒ／Ｖｉｓｉｔｉｎｇ  Ｌｏｃａｔｉｏｎ  Ｒｅｇｉｓｔｅｒ）とすることができる。
【００２５】
一実施態様では、ＥＧＥからの排出物データは、ＥＧＥによって放出されるさまざまな温室効果ガスおよび／または他の有害物質の量を含むことができる。たとえば、ＥＧＥが車両である場合に、排出物データは、その車両によって放出されるＣＯ、ＣＯ２、ＮＯｘ、ＳＯｘ、およびＳＰＭの量を特定することができる。もう１つの例で、ＥＧＥが工場または産業である場合に、排出物データは、その工場または産業によって放出されるＣＯ、ＣＯ２、ＮＯｘ、ＳＯｘ、ＳＰＭ、アンモニア、毒性金属、生物分解性でない物質、廃液の量を含むことができる。
【００２６】
一実施態様では、ＥＧＥ識別データは、ＥＧＥのタイプ、クラス、サブクラス、および／または登録の位置を識別するのに使用できる一意アイデンティティ・データを含むことができる。たとえば、ＥＧＥ識別データは、車両または工場ごとに一意の、車両または工場の登録番号を含むことができる。
【００２７】
一実施態様では、排出物データおよびＥＧＥ識別データを含む符号化されたメッセージは、遠隔通信ネットワーク・エンティティによって受信されると、ＥＧＥに関連する排出物データおよびＥＧＥ識別データを入手するために、復号のためにＥＤＣＭシステムに供給される。前に述べたように、一例では、遠隔通信ネットワーク・エンティティを、ＧＳＭネットワークのＶＭＳＣ／ＶＬＲとすることができる。入手されたデータは、ＥＤＣＭシステムに、排出物を生成するＥＧＥに関する情報ならびにそれぞれのＥＧＥによって生成されるさまざまな排出物のレベルに関する情報を提供する。この入手された排出物データおよびＥＧＥ識別データを、その後、さまざまな目的に使用することができる。目的は、ＥＧＥ識別データから識別されたＥＧＥ１０６の排出物の重大度レベルの計算を含むことができる。排出物の重大度レベルを、排出物データを特定のタイプのＥＧＥについて事前に定義される規定された排出物限度と比較することによって計算することができる。規定された排出物限度は、ＥＧＥに関するベンチマーク排出物値を示すことができる。一実施態様では、計算および比較に基づいて、異なる処置を講じることができる。たとえば、ＥＧＥに、その排出物について通知することができ、排出物が規定された排出物限度を超える場合にＥＧＥを罰するか罰金を科することができ、排出物データを使用して、排出物に関する全世界／全国の統計およびレポートを生成することができ、かつ／またはＥＧＥ所有者に、その排出物値に基づいて、法律制度を介して炭素クレジットを割り当てることができる。本主題のシステムおよび方法は、さまざまなＥＧＥ所有者への包括的な炭素取引プラットフォームの提供ならびに全体論ベースとＥＧＥクラス・ベースとの両方とすることができる統計調査、データ・マイニング、排出物傾向分析の実行をも助けることができる。
【００２８】
一実施態様によれば、ＥＤＥＴシステムおよびＥＤＣＭシステムは、ＧＳＭ標準規格に基づいて動作することができる。前記実施態様では、ＥＤＥＴシステムは、排出物データおよびＥＧＥ識別データをＧＳＭベースのＬｏｃａｔｉｏｎ  Ｕｐｄａｔｅ（ＧＬＵ）メッセージの形で暗号化し、送信するように構成される。ＧＬＵメッセージは、携帯電話機などの遠隔通信デバイスの間での通信目的に使用される標準ＧＳＭプロトコル・メッセージと理解することができる。本主題によるＧＬＵメッセージを、ＢＴＳ／ＢＳＣ（無線基地局／基地局制御装置）を介してＶＭＳＣ／ＶＬＲなどの遠隔通信ネットワーク・エンティティに標準遠隔通信信号の形で送信することができる。ＶＭＳＣ／ＶＬＲを、さらに、ＧＬＵメッセージをＥＤＣＭシステムに通信するように構成することができる。ＥＤＣＭシステムは、ＧＬＵメッセージを受信し、ＧＬＵメッセージから排出物データおよびＥＧＥ識別データを復号し、その後、復号された情報を、上で述べた目的のいずれかに使用するように構成される。
【００２９】
本明細書で提供される説明は、自動車両、工場、および発電プラントなどのＥＧＥによって放出される排出物の文脈に含まれるが、当業者は、その文脈で説明される概念を、水および／または土壌の汚染を引き起こす、水塊内に廃液を放出するＥＧＥなどの他のＥＧＥに拡張できることを了解するであろう。
【００３０】
上の方法およびシステムを、下で図面に関連してさらに説明する。この説明および図面が、単に本主題の原理を例示するものであることに留意されたい。当業者が、本明細書で明示的には説明されず、図示されないが、本主題の原理を実施し、その趣旨および範囲に含まれるさまざまな配置を考案できることを了解されたい。さらに、本明細書で列挙されるすべての例は、主に、特に当技術を促進するための本発明者によって貢献される本主題の原理および概念を読者が理解するのを助ける教育的目的のみのものであることが意図され、そのような具体的に列挙される例および条件への限定を伴わないと解釈されなければならない。さらに、本主題の原理、態様、実施形態、ならびにその特定の例を列挙するすべての陳述は、その同等物を包含することが意図されている。
【００３１】
当業者は、本明細書で使用される時に、単語ｄｕｒｉｎｇ（〜中に）、ｗｈｉｌｅ（〜間に）、およびｗｈｅｎ（〜時に）が、開始するアクションの際にアクションが瞬間的に行われる正確な用語ではなく、最初のアクションとその最初のアクションによって開始される反応との間に伝搬遅延などの短いが穏当な遅延があってもよい用語であることをも了解するであろう。さらに、単語「ｃｏｕｐｌｅｄ（接続された）」は、終始、説明の明瞭さのために使用され、直接接続または間接接続のいずれをも含むことができる。
【００３２】
遠隔通信ネットワークを介してＥＧＥからの排出物を報告し、監視するシステムおよび方法が実施される形を、図１〜６に関して詳細に説明する。排出物を報告し、監視する、説明されるシステムおよび方法の諸態様を、任意の個数の異なるコンピューティング・システム、コンピューティング環境、および／またはコンピューティング構成で実施することができるが、諸実施形態は、次の例示的なシステム（１つまたは複数）の文脈で説明される。
【００３３】
図１に、本主題の実施形態による、少なくともＥＧＥ１０６の排出物データを符号化するＥＤＥＴシステム１０２と、少なくともＥＧＥ１０６の排出物データを入手するために符号化されたデータを処理するＥＤＣＭシステム１０４とを実施するＥＲＭシステム１００を概略的に示す。図１に示されたＥＤＥＴシステム１０２を、ハンドヘルド・デバイス、ＰＤＡ、スマート・フォン、および類似物を含むがこれに限定されないさまざまな他の通信デバイス内で実施することができ、あるいは、個々のエンティティとして実施することができる。ＥＤＣＭシステム１０４を、デスクトップ・コンピュータ、ラップトップ、メインフレーム・コンピュータ、サーバ、および類似物を含むがこれに限定されないコンピューティング・システム内で実施することができる。
【００３４】
ＥＤＥＴシステム１０２は、排出物読取デバイス（ＥＲＤ）１０８からＥＧＥ１０６に関連する排出物データを獲得する。前に言及したように、ＥＧＥ１０６は、有害ガス、廃液、有毒で生物分解性でない廃棄物、その他を含む排出物を生成するＥＧＥとすることができる。ＥＧＥ１０６は、製造産業、工場、エネルギー生産プラントなどの静的ＥＧＥまたは道路ベース、空ベース、もしくは海ベースの自動車両などの可動ＥＧＥを含むことができる。ＥＲＤ１０８は、有害な排出物を感知することのできる通常のセンサとすることができ、そのような有害な排出物の量を測定することができる。たとえば、ＥＲＤ１０８を、ＥＧＥ１０６から放出されるさまざまな放出ガスおよびＳＰＭを検出し、各ガスおよびＳＰＭの量を測定することができるガス分析器とすることができる。ＥＲＤ１０８をＥＧＥ１０６に接続して、リアルタイムでまたは周期的にＥＧＥ１０６からの排出物を検出することができる。
【００３５】
一実施態様では、ＥＲＤ１０８を、ＥＤＥＴシステム１０２に通信的に接続して、接続されるＥＧＥ１０６の排出物データを通信することができる。この実施態様では、ＥＲＤ１０８は、排出物データをデジタル化し、この排出物データは、データ・ケーブルなどの有線通信リンクを使用して、またはＢｌｕｅｔｏｏｔｈ（商標）、赤外線（ＩＲ）リンク、およびＷｉＦｉなどのワイヤレス通信リンクを介して、ＥＤＥＴシステム１０２に通信され得る。もう１つの実施態様では、排出物データを、ＥＲＤ１０８によって記録し、ディスプレイ・インターフェースに表示することができ、この表示を、ＥＲＤ１０８から読み取り、ＥＤＥＴシステム１０２のユーザ・インターフェースを介してＥＤＥＴシステム１０２に手作業で入力することができる。
【００３６】
ＥＤＥＴシステム１０２は、ＥＧＥ１０６に関連するＥＧＥ識別データをも入手する。一実施態様では、ＥＧＥ識別データを、ＥＧＥ１０６または任意の他のソースに接続されたＥＲＤ１０８からデジタル・フォーマットでＥＤＥＴシステム１０２に通信することができ、あるいは、ユーザ・インターフェースを介してＥＤＥＴシステム１０２に手作業で入力することができる。
【００３７】
ＥＧＥ１０６に関連する排出物データおよびＥＧＥ識別データを獲得する際に、ＥＤＥＴシステム１０２の符号化モジュール１１０は、排出物データおよびＥＧＥ識別データを遠隔通信ベースの符号化されたメッセージの形で符号化する。単純さのために、遠隔通信ベースの符号化されたメッセージを、以下では符号化されたメッセージと称する場合がある。符号化の後に、ＥＤＥＴシステム１０２は、排出物データおよびＥＧＥ識別データを有する符号化されたメッセージを、通信ネットワーク１１２を介してＥＤＣＭシステム１０４に通信する。
【００３８】
通信ネットワーク１１２を、ワイヤレス・ネットワークもしくは有線ネットワーク、またはその組合せとすることができる。通信ネットワーク１１２を、お互いに相互接続され、単一の大きいネットワークとして機能する個々のネットワークの集合とすることができる。そのような個々のネットワークの例は、ＧＳＭネットワーク、ＵＭＴＳネットワーク、ＬＴＥネットワーク、ＰＣＳネットワーク、ＴＤＭＡネットワーク、ＣＤＭＡネットワーク、ＮＧＮ、ＰＳＴＮ、およびＩＳＤＮを含むが、これらに限定はされない。用語法に依存して、通信ネットワーク１１２は、ゲートウェイおよびルータなどのさまざまなネットワーク・エンティティを含むが、そのような詳細は、説明の簡潔さを維持するために、省略されている。さらに、排出物データおよびＥＧＥ識別データの符号化は、通信が行われつつある通信ネットワーク１１２と互換の通信プロトコルに依存するものとすることができる。
【００３９】
一実施態様では、通信ネットワーク１１２は、通信ネットワーク１１２のタイプに応じてＢＳＣ、ＢＴＳ、ＶＭＳＣ／ＶＬＲ、無線ネットワーク制御装置（ＲＮＣ）、Ｎｏｄｅ  Ｂ、その他のうちの１つまたは複数を含むことができる標準遠隔通信ネットワーク・エンティティ（図示せず）を含む。遠隔通信ネットワーク・エンティティは、符号化されたメッセージが、従来の遠隔通信標準規格ベースの信号またはＥＤＥＴシステム１０２から受信された排出物データおよびＥＧＥ識別データを含む符号化されたメッセージのどちらであるのかを判定するために、符号化されたメッセージを読み取るように構成される。遠隔通信ネットワーク・エンティティが、符号化されたメッセージが排出物データおよびＥＧＥ識別データを含むＥＤＣＭベースのメッセージであると識別する場合に、符号化されたメッセージは、ＥＤＣＭシステム１０４に転送される。明白であるように、遠隔通信ネットワーク・エンティティは、従来の遠隔通信標準規格ベースの信号を従来の形で扱い続ける。
【００４０】
ＥＤＣＭシステム１０４は、通信ネットワーク１１２を介して遠隔通信ネットワーク・エンティティから符号化されたメッセージを受信すると、符号化されたメッセージを処理する。符号化されたメッセージは、ＥＧＥ１０６に関連する排出物データおよびＥＧＥ識別データを入手するために、ＥＤＣＭシステム１０４の復号モジュール１１４によって処理される。
【００４１】
一実施態様では、ＥＤＣＭシステム１０４は、ＥＧＥ１０６の排出物データおよびＥＧＥ識別データを入手するために処理され得る複数の符号化されたメッセージを受信することができる。入手されたデータを、さまざまな事前に定義されたプロセスに使用することができ、これらのプロセスのうちの少数を、本明細書の説明で説明する。たとえば、ＥＧＥ１０６からの排出物の重大度レベルを計算することができる。一実施態様では、排出物の重大度レベルを、ＥＧＥ１０６によって放出されたさまざまな有害物質の量を、対応する規定された排出物限度と比較することによって計算することができる。一実施態様では、重大度計算および比較を、ＥＤＣＭシステム１０４でローカルに行うことができるが、他の実施態様では、ＥＧＥ１０６の排出物データおよびＥＧＥ識別データを、重大度計算および比較のためにＥＤＣＭシステム１０４によって別のエンティティに通信することができる。
【００４２】
重大度計算および比較がＥＤＣＭシステム１０４でローカルに行われる実施態様では、ＥＤＣＭシステム１０４は、とりわけ規定された排出物限度に関するデータを格納するデータ・リポジトリ１１６と通信する。ＥＤＣＭシステム１０４での排出物データを、規定された排出物限度と比較して、排出物の重大度レベルを計算することができる。排出物の重大度レベルおよび／または比較に基づいて、さらなる必要な処置を講じることができる。そのような処置の一例は、ＥＧＥ１０６の所有者への通知の送信である。
【００４３】
重大度計算および比較がＥＤＣＭシステム１０４でローカルに行われるのではない代替実施態様では、ＥＤＣＭシステム１０４は、たとえば通信ネットワーク１１２を介して、通知システム１１８と通信することができる。前記実施態様では、ＥＤＣＭシステム１０４を、符号化されたメッセージを処理することによって入手されたＥＧＥ１０６の排出物データおよびＥＧＥ識別データを通知システム１１８に通知するように構成することができ、通知システム１１８は、排出物データの比較、排出物の重大度レベルの計算、およびＥＧＥ１０６の所有者への通知の送信に関するアクションを実行することができる。前記実施態様では、通知システム１１８を、通知システム１１８によって実行される上で言及した比較のために、たとえば通信ネットワーク１１２を介して、データ・リポジトリ１１６に接続することもできる。
【００４４】
一実施態様では、通知を、比較および／または排出物の重大度レベルに基づいて、ＥＧＥ１０６および／またはＥＧＥ１０６の所有者に通信することができる。そのような通知を、ＳＭＳ、電子メール、または任意の他の形の通信の形で通信することができる。通知のタイプおよび内容を、排出物規制当局または任意の関連する当局によって定義することができ、周期的にまたは必要に応じて更新することができる。
【００４５】
一実施態様では、排出物データの比較に基づいて、ＥＧＥ１０６またはＥＧＥ所有者を罰することができる。ＥＧＥ１０６からの排出物が、規定された排出物限度を超える場合には、ＥＧＥ１０６からの排出物の重大度レベルに基づいて、ＥＧＥ所有者に罰を科することができる。一実施態様では、ＥＧＥ１０６に対する罰は、罰金、ＥＧＥ１０６を運営する免許の一時的停止、永久的閉鎖、課税、その他を含むことができる。
【００４６】
一実施態様では、ＥＧＥ１０６に罰金を科するために、ＥＤＣＭシステム１０４は、金融システム１２０と通信することができる。金融システム１２０は、一例では、ＥＧＥ１０６の所有者が口座を維持する可能性がある銀行または任意の他の金融機関のサーバとすることができる。さまざまな他の例では、金融システム１２０は、ＥＧＥ１０６の所有者が通常登録される税額差引当局またはＥＧＥ１０６の所有者のそれぞれが登録を要求される汚染防止庁など、政府当局によって維持される場合がある。一実施態様では、ＥＤＣＭシステム１０４と金融システム１２０との間の通信を、この説明で後で説明するように、ｄｉａｍｅｔｅｒインターフェースまたはＸＭＬ（Ｅｘｔｅｎｓｉｂｌｅ  Ｍａｒｋ−ｕｐ  Ｌａｎｇｕａｇｅ）インターフェースを介するものとすることができる。金融システム１２０を、ＥＧＥ１０６の所有者に科せられた可能性があるあらゆる罰金の支払に対してＥＧＥ１０６の所有者から適当な適用可能な額を差し引き、ＥＧＥ所有者に告示するように構成することができる。たとえば、罰金額を、ＥＧＥ１０６の氏名で登録された銀行口座から差し引くことができる。
【００４７】
一実施態様では、ＥＤＣＭシステム１０４は、ＥＧＥ所有者がアカウントを有するサービス・プロバイダのＳＣＰ（Ｓｅｒｖｉｃｅ  Ｃｏｎｔｒｏｌ  Ｐｏｉｎｔ）などの遠隔通信ネットワーク・エンティティと通信して、ＥＧＥ所有者の氏名で登録されたモバイル・アカウント（前払い／後払い）から罰金額を差し引くことができる。さらに、一実施態様では、罰金額のメモをＥＧＥ所有者に送信できる手作業の手段を介して、罰金額を、ＥＧＥ所有者に負わせることができる。理解されるように、罰金額は、ＥＧＥ１０６によって生成される排出物の重大度レベルと、ＥＧＥ１０６に対応するＥＧＥのクラスおよび／またはサブクラスに対して規定される排出物限度とによる。排出物限度を、排出物規制当局または任意の関連する当局によって事前に定義することができる。排出物規制当局によって事前に定義される排出物限度に関するデータを、金融システム１２０を用いて入手可能とすることができ、あるいは、前に説明した一実施態様によれば、このデータは、金融システム１２０に接続され得るデータ・リポジトリ１１６に存在することができる。
【００４８】
一実施態様では、多数のＥＧＥ１０６に関連するＥＧＥ識別データおよび排出物データを、ＥＤＣＭシステム１０４によって、ＥＧＥ１０６からの排出物に関する統計および／またはレポートを生成するために、排出物規制当局の統計レポート生成システム１２２などの任意のエンティティに通信することができる。統計は、全世界レベルで行政区または国からの総排出物を判定するために生成され、ある期間にわたる排出物傾向を推定し、最も汚染するＥＧＥを識別するために排出物レベルとＥＧＥ１０６のクラスおよびサブクラスとの間の相関を構築することなどができる。これは、ある国が、炭素クレジット取引に参加するために国レベルで排出物データを蓄積するのを助けることもできる。
【００４９】
一実施態様では、多数のＥＧＥ１０６に関連するＥＧＥ識別データおよび排出物データを、ＥＤＣＭシステム１０４によって、炭素取引のためにＥＧＥ所有者に手段を与えることができる、炭素クレジットを各ＥＧＥ１０６に割り当てるために、炭素クレジット計算システム１２４を有して構成されたエンティティに通信することができる。炭素クレジット計算システム１２４は、ＥＧＥ所有者が所有するＥＧＥによって生成された炭素クレジットに基づいて、ＥＧＥ所有者に割り当てられる炭素クレジットを計算することができる。また、これに伴って、すべてのＥＧＥ１０６の炭素クレジットを有する中央データベースを維持することができ、この中央データベースは、政府当局が、炭素クレジットおよびＥＧＥ所有者によって行われる炭素取引を効率的に追跡することを容易にすることができる。
【００５０】
さらに、一実施態様では、１つまたは複数のＥＧＥ１０６に関連するＥＧＥ識別データおよび排出物データを、他のエンティティに通信し、ＥＧＥ１０６およびＥＧＥ１０６によって引き起こされる環境汚染に関連する任意の他の目的および／またはアプリケーションに有利に使用することができる。
【００５１】
たとえば、一実施態様では、ＥＧＥ１０６としての自動車両に関連するＥＧＥ識別データを、ＥＤＣＭシステム１０４によって、自動車両の移動の追跡および監視のために車両追跡システム（この図には図示せず）を有するエンティティに通信することができる。そのような目的のために、ＥＤＣＭシステム１０４は、追跡システムへのＥＧＥ識別データの通信とは別に、一実施態様では、符号化されたメッセージがそこから受信される遠隔通信ネットワーク・エンティティの位置詳細を通信することもできる。もう１つの例では、ＥＧＥ１０６としての自動車両に関連するＥＧＥ識別データを利用して、車両性能を評価することができ、この車両性能を、さらに、さまざまな目的に利用することができる。
【００５２】
一実施態様では、通知システム１１８、統計レポート生成システム１２２、および炭素クレジット計算システム１２４を、ＥＤＣＭシステム１０４内で構成することができ、そのようなシステムの機能性を、上で言及したように、ＥＤＣＭシステム１０４によって実行することができる。
【００５３】
図２に、本主題の一実施形態による、ＥＤＥＴシステム１０２およびＥＤＣＭシステム１０４を示す。前述の説明によれば、ＥＤＥＴシステム１０２およびＥＤＣＭシステム１０４は、遠隔通信ネットワークを介するＥＧＥ１０６からの排出物の報告および監視のために、お互いに通信的に接続される。
【００５４】
通信は、ＧＳＭプロトコルに基づくものとすることができ、その場合に、符号化されたメッセージは、ＧＬＵメッセージである。本明細書で説明される通信は、ＧＳＭネットワークに関連し、符号化されたメッセージは、ＧＬＵメッセージであるが、当業者によって理解されるように、少数の変更は伴うが、本主題のシステムおよび方法を、他のネットワークおよびデバイス内で実施することができ、符号化されたメッセージを、遠隔通信ベースの符号化されたメッセージの他の形とすることができる。さらに、単純さのために、図２は、１つのＥＤＣＭシステム１０４と通信する１つのＥＤＥＴシステム１０２を示す。しかし、さまざまな実施態様では、ＥＧＥの排出物データおよびＥＧＥ識別データを入手する複数のＥＤＥＴシステム１０２が、ＥＤＣＭシステム１０４のうちの１つまたは複数と通信することができる。さらに、類似する形で、１つのＥＤＥＴシステム１０２が、複数のＥＧＥに関連する排出物データおよびＥＧＥ識別データを入手することができる。
【００５５】
一実施態様では、ＥＤＥＴシステム１０２を、携帯電話機、スマート・フォン、ＰＤＡ、およびハンドヘルド・デバイスを含むがこれに限定されないユーザ機器（ＵＥ）内で実施することができ、ここで、排出物データおよびＥＧＥ識別データを、ＧＬＵメッセージなどの遠隔通信ベースの符号化されたメッセージの形で符号化することができ、ＧＬＵメッセージは、ＵＥによって遠隔通信ネットワーク・エンティティに通信され、遠隔通信ネットワーク・エンティティは、さらに、そのＧＬＵメッセージをＥＤＣＭシステム１０４に通信する。
【００５６】
さらに、ＥＤＥＴシステム１０２は、１つまたは複数のＥＲＤ１０８から排出物データを入手する。一実施態様では、ＥＲＤ１０８は、ＥＧＥ１０６からの排出物を測定するためにＥＧＥ１０６に接続されたエンティティとすることができる。しかし、もう１つの実施態様では、ＥＤＥＴシステム１０２およびＥＲＤ１０８を一体化して、排出物データとしてＥＧＥ１０６からの排出物を検出し、少なくとも排出物データをＧＬＵメッセージの形で符号化し、そのＧＬＵメッセージを遠隔通信ネットワーク・エンティティに送信するように構成された単一のエンティティを形成することができ、遠隔通信ネットワーク・エンティティは、さらに、そのＧＬＵメッセージをＥＤＣＭシステム１０４に通信する。ＥＲＤ１０８およびＥＤＥＴシステム１０２を有するこの単一のエンティティを、ＥＧＥ１０６に接続して、排出物を検出し、リアルタイムでまたは周期的に、排出物データを有するＧＬＵメッセージを通信することができる。
【００５７】
ＥＤＥＴシステム１０２ならびにＥＤＣＭシステム１０４のさまざまな実施形態が可能であるが、これを、図２に示された実施形態に関して説明した。
【００５８】
ＥＤＥＴシステム１０２およびＥＤＣＭシステム１０４は、集合的にプロセッサ２０２と称するプロセッサ２０２−１、２０２−２を含む。プロセッサ２０２を、１つまたは複数のマイクロプロセッサ、マイクロコンピュータ、マイクロコントローラ、デジタル信号プロセッサ、中央処理ユニット、状態機械、論理回路網、および／または動作命令に基づいて信号を操作する任意のデバイスとして実施することができる。他の能力の中でも、プロセッサ（１つまたは複数）は、メモリ内に格納されたコンピュータ可読命令を取り出し、実行するように構成される。
【００５９】
「プロセッサ（１つまたは複数）」としてラベルを付けられた機能ブロックを含む、図に示されたさまざまな要素の機能を、専用ハードウェアならびに適当なソフトウェアに関連してソフトウェアを実行することのできるハードウェアの使用を介して提供することができる。プロセッサによって提供される時に、機能を、単一の専用プロセッサによって、単一の共有されるプロセッサによって、またはそのうちのいくつかを共有できる複数の個々のプロセッサによって、提供することができる。さらに、用語「プロセッサ」の明示的な使用は、ソフトウェアを実行することができるハードウェアに排他的に言及するものと解釈されてはならず、限定なしに、暗黙のうちに、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、不揮発性ストレージを含むことができる。従来のおよび／またはカスタムの、他のハードウェアを含めることもできる。
【００６０】
また、ＥＤＥＴシステム１０２およびＥＤＣＭシステム１０４は、集合的にインターフェース２０４と称する、インターフェース（１つまたは複数）２０４−１、２０４−２を含む。インターフェース２０４は、ＥＤＥＴシステム１０２およびＥＤＣＭシステム１０４がお互いと相互作用することを可能にするさまざまなソフトウェア・インターフェースおよびハードウェア・インターフェースを含むことができる。さらに、インターフェース２０４は、ＥＤＥＴシステム１０２およびＥＤＣＭシステム１０４が、ウェブ・サーバおよび外部リポジトリなどの他の通信デバイスおよびコンピューティング・デバイスと通信することを可能にすることができる。インターフェース２０４は、有線ネットワーク、たとえばＬＡＮ、ケーブルなどと、ワイヤレス・ネットワーク、たとえばＷＬＡＮ、セルラー、衛星ベースのネットワークなどとを含む、さまざまなネットワーク・タイプおよびプロトコル・タイプ内での複数の通信を容易にすることができる。
【００６１】
ＥＤＥＴシステム１０２およびＥＤＣＭシステム１０４は、プロセッサ２０２−１、２０２−２に接続された、集合的にメモリ２０６と称するメモリ２０６−１、２０６−２を含む。メモリ２０６は、たとえば揮発性メモリ（たとえば、ＲＡＭ）および／または不揮発性メモリ（たとえば、ＥＰＲＯＭ、フラッシュ・メモリなど）を含む、当技術分野で既知の任意のコンピュータ可読媒体を含むことができる。
【００６２】
それぞれＥＤＥＴシステム１０２およびＥＤＣＭシステム１０４のメモリ２０６−１、２０６−２は、それぞれ、集合的にモジュール２０８およびデータ２１０と称する、モジュール２０８−１、２０８−２およびデータ２１０−１、２１０−２を含む。モジュール２０８は、特定のタスクを実行するか特定の抽象データ型を実施する、ルーチン、プログラム、オブジェクト、コンポーネント、データ構造、および類似物を含む。モジュール２０８は、さらに、ＥＤＥＴシステム１０２およびＥＤＣＭシステム１０４上のアプリケーションを増補するモジュール、たとえば、オペレーティング・システムのモジュールを含む。データ２１０は、とりわけ、モジュール２０８のうちの１つまたは複数によって取り出され、処理され、受信され、または生成され得るデータを格納するリポジトリとして働く。
【００６３】
一実施態様では、ＥＤＥＴシステム１０２のモジュール２０８−１は、符号化モジュール１１０に加えて、排出物データ獲得モジュール２１２、識別データ獲得モジュール２１４、送信モジュール２１６、および他のモジュール（１つまたは複数）２１８を含む。一実施態様では、ＥＤＥＴシステム１０２のデータ２１０−１は、獲得された排出物データ２２８、獲得された識別データ２３０、符号化されたデータ２３２−１、および他のデータ２３４を含む。他のモジュール（１つまたは複数）２１８は、アプリケーションおよび機能を増補するプログラムまたはコーディングされた命令、たとえば、ＥＤＥＴシステム１０２のオペレーティング・システム内のプログラムを含むことができ、他のデータ２３４は、１つまたは複数の他のモジュール（１つまたは複数）２１８に対応するデータを含む。
【００６４】
同様に、一実施態様では、ＥＤＣＭシステム１０４のモジュール２０８−２は、復号モジュール１１４に加えて、情報受信モジュール２２０、計算モジュール２２２、通信モジュール２２４、および他のモジュール（１つまたは複数）２２６を含む。一実施態様では、ＥＤＣＭシステム１０４のデータ２１０−２は、符号化されたデータ２３２−２、復号されたデータ２３６、計算データ２３８、および他のデータ２４０を含む。他のモジュール（１つまたは複数）２２６は、アプリケーションおよび機能を増補するプログラムまたはコーディングされた命令、たとえば、ＥＤＣＭシステム１０４のオペレーティング・システム内のプログラムを含むことができ、他のデータ２４０は、１つまたは複数の他のモジュール（１つまたは複数）２２６に対応するデータを含む。
【００６５】
一実施態様では、ＥＤＥＴシステム１０２の排出物データ獲得モジュール２１２は、少なくとも１つのＥＧＥ１０６に関連する排出物データを獲得する。排出物データ獲得モジュール２１２は、ＥＧＥ１０６に接続されたＥＲＤ１０８から排出物データを獲得する。排出物データを、ＥＲＤ１０８からデジタル・フォーマットで獲得することができる。一実施態様では、排出物データを、ＥＲＤ１０８から読み取り、ＥＤＥＴシステム１０２のユーザ・インターフェースを介してＥＤＥＴシステム１０２に手作業で入力することができる。排出物データは、たとえば、ＥＧＥ１０６によって生成された、ＳＰＭならびにＣＯ、ＣＯ２、ＮＯｘ、ＳＯｘ、および他の有害な炭化水素などのさまざまな有害ガスの量を含むことができる。一実施態様では、ＥＧＥ１０６が自動車両である場合に、排出物データ獲得モジュール２１２を、ＥＲＤ１０８からの排出量データの一部としてまたは関連するセンサの使用などの手段によって、エンジンＲＰＭ、気筒数、およびエンジン温度などの車両性能または技術パラメータなどの追加データを獲得するように構成することができる。その実施態様では、ＥＲＤ１０８が、排出物の連続検出のために自動車両（ＥＧＥ１０６）に接続される場合に、排出物データ獲得モジュール２１２によって獲得される、排出物の検出の持続期間にわたる、平均車両速度、平均エンジンＲＰＭ、平均燃料消費、平均エンジン温度を含む車両性能パラメータを、ＥＲＤ１０８内に格納することもできる。排出物データは、車両性能パラメータがある場合にはこれと一緒に、獲得された排出物データ２２８に格納される。
【００６６】
一実施態様では、ＥＤＥＴシステム１０２は、その排出物データが入手されるＥＧＥ１０６に関連するＥＧＥ識別データを獲得することができる。ＥＤＥＴシステム１０２の識別データ獲得モジュール２１４は、ＥＧＥ識別データを獲得するように構成される。一実施態様では、ＥＧＥ識別データを、ＥＧＥ１０６に接続されたＥＲＤ１０８から獲得することができ、あるいは、ＥＤＥＴシステム１０２のユーザ・インターフェースを介してＥＤＥＴシステム１０２に手作業で入力することができる。ＥＧＥ識別データは、ＥＧＥ１０６ごとに一意であるＥＧＥ１０６の登録番号と、ＥＧＥ１０６の登録の場所とを含むことができる。ＥＧＥ識別データは、ＥＧＥ１０６のクラスおよび対応する汚染規範遵守レベルに関連する追加データをも含むことができる。ＥＧＥ１０６のクラスに関する追加データは、ＥＧＥのタイプ、たとえば自動車両、工場、または電力生産プラントと、ＥＧＥのサブタイプ、たとえば軽、中、重の車両または工場とを示すことができる。一実施態様では、ＥＧＥ識別データは、さらに、ＥＧＥ１０６の所有者に関するデータ、たとえば所有者の氏名、住所、および連絡先番号を含むことができる。ＥＧＥ識別データは、追加データと一緒に、獲得された識別データ２３０内に格納される。
【００６７】
排出物データおよびＥＧＥ識別データを追加データと一緒に獲得すると、ＥＤＥＴシステム１０２の符号化モジュール１１０は、獲得されたデータを、ＧＳＭネットワークを介して送信できるＧＬＵメッセージの形で符号化する。ＧＬＵメッセージは、符号化されたデータ２３２−１内に格納される。排出物データ、ＥＧＥ識別データ、および追加データのＧＬＵメッセージの形での符号化は、この説明で後で詳細に説明する。
【００６８】
排出物データおよびＥＧＥ識別データを符号化されたＧＬＵメッセージは、その後、ＥＤＥＴシステム１０２の送信モジュール２１６によって、ＧＳＭネットワークを介してＥＤＣＭシステム１０４に送信される。ＧＬＵメッセージのこの送信は、従来の位置更新メッセージがＧＳＭネットワーク上の無線インターフェースを使用して遠隔通信ネットワーク・エンティティに送信される形で行うことができる。
【００６９】
一実施態様では、ＥＤＣＭシステム１０４で、情報受信モジュール２２０が、ＥＤＥＴシステム１０２から送信されたＧＬＵメッセージを受信する。ＧＬＵメッセージは、符号化されたデータ２３２−２内に格納される。ＧＬＵメッセージを受信すると、復号モジュール１１４は、ＧＬＵメッセージを処理して、ＧＬＵメッセージ内で符号化された排出物データおよびＥＧＥ識別データを追加データと一緒に復号する。一実施態様では、ＧＬＵメッセージを、ＧＬＵメッセージ内で符号化された、ＥＧＥ識別データとして提供されるＥＧＥ１０６のクラス、サブクラス、登録番号、および／または登録の位置、ＥＧＥ１０６によって放出されたＳＰＭおよびガスを含むさまざまな有害物質のレベルなどのデータを入手するために処理することができる。一実施態様では、ＧＬＵメッセージは、前に言及した、ＥＧＥ１０６の所有者の詳細および車両性能パラメータなどのデータをも含むことができ、これらを入手することもできる。ＧＬＵメッセージの処理の後に入手されたデータは、復号されたデータ２３６内に格納される。一実施態様では、ＧＬＵメッセージの処理の後に入手されたデータは、ＥＤＣＭシステム１０４に関連する外部データ・リポジトリ内に格納される。
【００７０】
一実施態様では、ＥＧＥ１０６に関連する排出物データおよびＥＧＥ識別データを追加データと一緒に入手した後に、計算モジュール２２２が、各ＥＧＥ１０６の排出物のレベルをＥＣＥクラスの対応する規定された排出物限度と比較することによって、ＥＧＥ１０６の排出物の重大度レベルを計算する。比較において、計算モジュール２２２は、前に言及したように、ＥＣＥクラスによる規定された排出物限度に関するデータおよび他の関連パラメータを格納したデータ・リポジトリ１１６と通信することができる。データ・リポジトリ１１６は、現在の排出物レベルと対応する規定された排出物限度との間の差に依存する、ＥＧＥ１０６のクラスおよびサブクラスごとの、たとえば１から１０までの、排出物の重大度レベルをも格納することができる。やはり前に説明した一実施態様では、データ・リポジトリを、たとえばＥＤＣＭシステム１０４のデータ２１０−２の一部として、ＥＤＣＭシステム１０４と一体化することができる。
【００７１】
データ・リポジトリ１１６は、ＥＧＥ１０６のクラス、たとえば自動車両、工場、または電力生産プラントと、サブクラス、たとえば軽、中、重の車両または工場と、一意の登録番号とを含む、すべてのＥＧＥ１０６に関するデータをも含むことができる。データ・リポジトリ１１６は、ＥＧＥ所有者の登録データおよびサブスクリプション・データと、ＥＧＥのメーカーおよび製造の詳細とを含むこともできる。データ・リポジトリ１１６は、さらに、氏名、住所、連絡先番号、電子メール詳細、銀行口座詳細、および税金関連詳細などの所有者詳細を含む、ＥＧＥ１０６の所有者に関するデータを含むことができる。所有者詳細は、彼らのＥＧＥの排出物記録履歴、および／または彼らのＥＧＥのデフォルトのもしくは割り振られた炭素クレジットをも含むことができる。データ・リポジトリ１１６内にデータを格納するために、たとえば所有者は、彼ら自身および彼らのＥＧＥをＥＤＣＭシステム１０４に登録しなければならない場合があり、この登録は、ＥＧＥ１０６の購入または設置の時に行うことができる。一実施態様では、データ・リポジトリ１１６内に格納されたデータを、周期的にまたは必要に応じて更新することができる。
【００７２】
一実施態様では、計算モジュール２２２は、各ＥＧＥ１０６の、ＧＬＵメッセージ内の排出物データから入手された排出物のレベルを、ＥＧＥ識別データから識別されるＥＧＥ１０６のクラス、サブクラス、および汚染規範遵守に対応する規定された排出物限度と比較するように構成される。表１に、比較のために使用できる、ＥＧＥ１０６としての自動車両の規定された排出物レベルを有する基準表の例を示す。表１には、製造年度に基づく自動車両のさまざまなサブクラスのｐｐｍ（百万分の１）単位の炭化水素、ＣＯ、およびＮＯｘの規定された排出物限度がリストされている。排出物限度は、異なる管轄区について異なる可能性がある。表１に似た他の表を、比較に使用することができる。たとえば、環境汚染機関によって公表された排出物標準規格を有する基準表を使用することができる。比較に基づいて、計算モジュール２２２は、各ＥＧＥ１０６の排出物の重大度レベルを計算することができる。各ＥＧＥ１０６の比較結果および排出物の重大度レベルを、計算データ２３８、データ・リポジトリ１１６、および／またはＥＤＣＭシステム１０４に関連する外部リポジトリに格納することができる。
【００７３】
一実施態様では、計算モジュール２２２は、排出物記録履歴および／または割り振られた炭素クレジットを含む対応する所有者詳細を取り出すために、各ＥＧＥ１０６の、ＧＬＵメッセージ内のＥＧＥ識別データから入手された、ＥＧＥ１０６のクラス、サブクラス、および登録番号を、データ・リポジトリ１１６内のデータとさらに照合することができる。計算モジュール２２２は、各ＥＧＥ１０６の排出物の重大度レベルの比較および計算のために、対応するＥＧＥ１０６に関連する、排出物記録履歴および／または割り振られた炭素クレジットを検討することができる。
【００７４】
【表１】
2015504191.tif 000003
【００７５】
一実施態様では、ＥＧＥ１０６の排出物の比較および排出物の重大度レベルに基づいて、ＥＤＣＭシステム１０４の通信モジュール２２４は、それぞれＥＧＥ所有者に通知を送信するため、ＥＧＥ１０６またはＥＧＥ所有者を罰するため、排出物に関する統計およびレポートを生成するため、ならびにＥＧＥ１０６の炭素クレジットの追跡および取引を容易にするために、前に説明した通知システム１１８、金融システム１２０、統計レポート生成システム１２２、および／または炭素クレジット計算システム１２４などの１つまたは複数のエンティティと通信することができる。そのために、通信モジュール２２４は、ＧＬＵメッセージから入手されたＥＧＥ１０６に関連する排出物データおよび／もしくはＥＧＥ識別データ、計算モジュール２２２によって生成されたＥＧＥ１０６の排出物の重大度レベル、ならびに／またはデータ・リポジトリ１１６内に格納されたＥＧＥ１０６およびＥＧＥ所有者に関する追加データを、１つまたは複数のエンティティに通信することができる。
【００７６】
下の説明は、本主題の実施態様による、ＥＤＥＴシステム１０２の符号化モジュール１１０によるＧＬＵメッセージの形での排出物データおよびＥＧＥ識別データの符号化を説明するものである。符号化モジュール１１０は、ＥＤＥＴシステム１０２によって入手された追加データをも符号化することができる。
【００７７】
【表２】
2015504191.tif 000004
【００７８】
前に言及したように、ＧＬＵメッセージは、通信デバイスの現在位置を遠隔通信ネットワーク・エンティティに示すために、遠隔通信デバイスなどの通信デバイスによってＶＭＳＣなどの遠隔通信ネットワーク・エンティティに送信されるＧＳＭプロトコル・ベースの位置更新メッセージである。ＧＬＵメッセージは、当業者に既知のように、ＧＳＭ標準規格による事前定義の情報要素（ｉｎｆｏｒｍａｔｉｏｎ  ｅｌｅｍｅｎｔ）を含む。ＧＬＵメッセージの各情報要素は、事前定義の長さを有し、２進フォーマットで符号化される。各情報要素の長さは、オクテットに関して定義され、１オクテットは、８つのビットからなる。表２に、ＧＳＭ標準規格による通常のＧＬＵメッセージの事前定義の情報要素をその長さと共にリストする。
【００７９】
一実施態様では、符号化モジュール１１０は、ＧＬＵメッセージが、排出物データおよびＥＧＥ識別データを含み、遠隔通信のために使用される通常のＧＳＭ位置更新メッセージとは異なることを遠隔通信ネットワーク・エンティティに示すために、ＧＬＵメッセージ内の情報要素のうちの１つを符号化する。符号化モジュール１１０は、本主題に従ってＧＬＵメッセージを生成するために、上で言及した情報要素のうちの１つまたは複数に、ＥＤＥＴシステム１０２内の追加データと一緒に排出物データおよびＥＧＥ識別データをも符号化する。各情報要素を、下で、従来のＧＬＵメッセージの文脈および本主題によるＧＬＵメッセージの文脈で説明する。また、下の説明において、ＥＤＥＴシステム１０２を、一例で、携帯電話機、スマート・フォン、ＰＤＡ、または類似物などのハンドヘルド通信デバイス内で実施されると考えることができる。さらに、説明のしやすさのために、ハンドヘルド通信デバイスを、２つのモードすなわち、遠隔通信のための第１のモードと、本主題による排出物データおよびＥＧＥ識別データの通信のための第２のモードとで動作すると考えることができる。
【００８０】
ａ）Ｍｏｂｉｌｉｔｙ  Ｍａｎａｇｅｍｅｎｔ  Ｐｒｏｔｏｃｏｌ  Ｄｉｓｃｒｉｍｉｎａｔｏｒ（ＭＭＰＤ）：この情報要素は、ＧＬＵメッセージのプロトコルを定義する。ＭＭＰＤは、ＧＬＵメッセージの最初のオクテットの最初の４ビットを形成する１／２オクテット（４ビット）によって定義される。従来、ＭＭＰＤには、呼関連メッセージについて３（００１１）がセットされ、モビリティ管理メッセージについて５（０１０１）がセットされ、無線リソース管理メッセージについて６（０１１０）がセットされるなどである。第１のモードでは、ＭＭＰＤは、メッセージのタイプに基づいて、従来の形でセットされる。第２のモードでは、ＭＭＰＤには、モビリティ管理メッセージとしてＧＬＵメッセージを定義するために、符号化モジュール１１０によって５（０１０１）がセットされる。
【００８１】
ｂ）Ｓｋｉｐ  Ｉｎｄｉｃａｔｏｒ（ＳＩ）：この情報要素は、ＧＬＵメッセージの最初のオクテットの最後の４ビットを形成する１／２オクテットによって定義される。従来、ＳＩが０（００００）ではない場合には、遠隔通信ネットワーク・エンティティで受信されたＧＬＵメッセージは、無視される。一実施態様では、ハンドヘルド通信デバイスが第２のモードで動作するために、ＳＩには、符号化モジュール１１０によって０（００００）がセットされる。
【００８２】
ｃ）Ｌｏｃａｔｉｏｎ  Ｕｐｄａｔｉｎｇ（ＬＵ）：この情報要素は、ＧＬＵメッセージが位置更新メッセージであるかどうかを示し、１オクテットによって定義される。ハンドヘルド通信デバイスの動作の第１のモードおよび第２のモードでは、ＬＵには、ＧＬＵメッセージが位置更新メッセージであることを示すために８（００００１０００）がセットされる。
【００８３】
ｄ）Ｌｏｃａｔｉｏｎ  Ｕｐｄａｔｉｎｇ  Ｔｙｐｅ（ＬＵＴ）：従来のＧＬＵメッセージ内のこの情報要素は、通常の更新、周期的更新、またはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）コードを用いてアタッチされた更新について示す。ＬＵＴの一部は、ハンドヘルド通信デバイスからのフォローオン（ｆｏｌｌｏｗ−ｏｎ）要求の受信を示すＦｏｌｌｏｗ−ｏｎ−Ｒｅｑｕｅｓｔ（ＦＯＲ）をも含む。
【００８４】
【表３】
2015504191.tif 000005
【００８５】
表３に、本主題の実施態様による、ＧＬＵメッセージのＬＵＴの詳細を示す。ＬＵＴは、１／２オクテットによって定義される。ＬＵＴの最初の２ビットは、更新のタイプを示す。ＬＵＴの第３ビットは、予備ビットであり、ＬＵＴの第４ビットは、ＦＯＲビットである。従来、最初の２ビットには、通常の更新を定義するために０（００）がセットされ、周期的更新を定義するために１（０１）がセットされ、ＩＭＳＩコードを用いてアタッチされた更新を定義するために２（１０）がセットされる。この２ビットの３（１１）としての値は、従来は、未使用であり、予約済みとして保存される。ＥＤＥＴシステム１０２は、この２ビットのこの予約済みの値を活用する。したがって、３（１１）をセットされたＬＵＴの最初の２ビットを使用して、ＧＬＵメッセージが、通常の遠隔通信関連データではなく、排出物およびＥＧＥ１０６に関連するデータを有する更新メッセージであることを示すことができる。したがって、ハンドヘルド通信デバイスの動作の第２のモードでは、符号化モジュール１１０は、ＬＵＴの最初の２ビットに３（１１）をセットする。ＬＵＴの第３ビットおよび第４ビットは、動作の第１のモードおよび第２のモードで、従来の形でセットすることができる。
【００８６】
ｅ）Ｃｉｐｈｅｒｉｎｇ  Ｋｅｙ  Ｓｅｑｕｅｎｃｅ  Ｎｕｍｂｅｒ（ＣＫＳＮ）：従来のＧＬＵメッセージ内のＣＫＳＮは、遠隔通信ネットワーク・エンティティが、認証手順を呼び出さずにハンドヘルド通信デバイス内に格納された暗号化鍵を識別することを可能にする。ＣＫＳＮは、ネットワーク・エンティティによって割り振られ、認証要求メッセージと共にハンドヘルド通信デバイスに送信され、このハンドヘルド通信デバイスで、暗号化鍵と一緒に格納される。ＣＫＳＮは、ＧＬＵメッセージ内のオクテットの最初の４ビットを形成する１／２オクテットによって定義される。このオクテットの他方の４ビットは、他の目的に使用される。ＣＫＳＮの最初の３ビットは、暗号化鍵を示す。従来、０（０００）から６（１１０）までのこの３ビットの値は、暗号化鍵の可能な値を定義し、この３ビットには、使用可能な鍵がないことを定義するために７（１１１）がセットされる。動作の第２のモードでは、ＣＫＳＮの最初の３ビットに、符号化モジュール１１０によって７（１１１）がセットされる。ＣＫＳＮの第４ビットは、予備ビットであり、第１のモード動作および第２のモード動作では０（０）がセットされる。
【００８７】
ｆ）Ｌｏｃａｔｉｏｎ  Ａｒｅａ  Ｉｄｅｎｔｉｆｉｃａｔｉｏｎ（ＬＡＩ）：従来のＧＬＵメッセージ内のこの情報要素は、ハンドヘルド通信デバイスが存在するＧＳＭネットワークによってカバーされるエリア内の、位置エリアまたはセルの識別を提供する。従来、ＬＡＩは、ＧＬＵメッセージ内の６オクテットを介して定義される。しかし、一実施態様では、動作の第２のモードで、ＬＡＩを、事前に定義された個数のオクテット、たとえば１つから５つまで（または任意の整数）を介して定義することができ、符号化モジュール１１０は、ＬＡＩ内で少なくともＥＧＥ１０６の排出物データを符号化することができる。一実施態様では、符号化モジュール１１０は、ＬＡＩ内で、ＥＤＥＴシステム１０２によって入手された、車両性能パラメータなどの追加の詳細を符号化することもできる。
【００８８】
【表４】
2015504191.tif 000006
【００８９】
表４に、符号化モジュール１１０によって符号化された、本主題の実施態様によるＧＬＵメッセージのＬＡＩの詳細を示す。ＬＡＩを、排出物データおよび追加データを符号化された５オクテットによって定義することができる。たとえば、最初の４オクテット（オクテット１から４まで）を、排出物のレベルを符号化するために割り当てることができ、残りのオクテット（オクテット５）を、表４で言及される車両性能パラメータまたは技術パラメータを含む追加データを符号化するために割り当てることができる。さらに、１オクテットを分割して、２つの異なる汚染物に関する排出物を符号化することができる。たとえば、表４に示されているように、オクテット１、２、および３は、それぞれ、ＣＯ−ＣＯ２のレベル、ＮＯｘ−ＳＯｘ排出物のレベル、ＳＰＭ−他の炭化水素排出物のレベルを符号化するために分割される。
【００９０】
一実施態様では、排出物データ獲得モジュール２１２は、排出物データおよび追加データを、その絶対値でまたは事前定義のレベル、たとえば１から１０までに関して絶対値を定義するフォーマットで獲得することができる。たとえば、ＣＯ排出物について、レベル１＝０〜１０ｐｐｍ、レベル２＝１０〜２０ｐｐｍなどである。これらの絶対値または事前に定義されたレベルは、表４で言及したように、事前に割り当てられたオクテット内で符号化される。一実施態様では、ＥＤＣＭシステム１０４の復号モジュール１１４は、本主題のＧＬＵメッセージを受信した後に、ＧＬＵメッセージを処理して、ＬＡＩから排出物の絶対値または事前定義のレベルおよび追加データを復号する。
【００９１】
ｇ）Ｍｏｂｉｌｅ  Ｓｔａｔｉｏｎ  Ｃｌａｓｓｍａｒｋ（ＭＳＣＭ）：従来のＧＬＵメッセージ内のＭＳＣＭは、ハンドヘルド通信デバイスの高優先順位態様に関する情報を遠隔通信ネットワーク・エンティティに与える。この情報要素は、ハンドヘルド通信デバイスの特性を示し、ＧＬＵメッセージ内の１オクテットによって定義される。従来、ＭＳＣＭの値は、遠隔通信サービスを提供する遠隔通信ネットワーク・エンティティに依存する。したがって、一実施態様では、動作の第２のモードでのＭＳＣＭを、符号化モジュール１１０によって第１のモードでのＭＳＣＭと同一の形に保持することができる。
【００９２】
ｈ）Ｍｏｂｉｌｅ  Ｉｄｅｎｔｉｔｙ（ＭＩ）：従来のＧＬＵメッセージ内のＭＩは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｃａｔｉｏｎ）、および／またはＩＭＥＩＳＶ（ＩＭＥＩ  ｗｉｔｈ  ｓｏｆｔｗａｒｅ  ｖｅｒｓｉｏｎ  ｎｕｍｂｅｒ）に関する情報を提供する。従来、ＭＩは、ＧＬＵメッセージ内で３オクテットから１０オクテットまでを介して定義される。しかし、一実施態様では、ハンドヘルド通信デバイスの動作の第２のモードで、ＭＩを、事前定義の個数のオクテット、たとえば１個から１０個まで（または任意の整数）を介して定義することができ、符号化モジュール１１０は、少なくともＥＧＥ１０６のＥＧＥ識別データをＭＩ内で符号化することができる。一実施態様では、符号化モジュール１１０は、ＭＩ内で、ＥＤＥＴシステム１０２によって入手されたＥＧＥ１０６の所有者に関する追加データを符号化することもできる。
【００９３】
【表５】
2015504191.tif 000007
【００９４】
表５に、符号化モジュール１１０によって符号化される、本主題の実施態様によるＧＬＵメッセージのＭＩの詳細を示す。ＭＩを、ＥＧＥ識別データおよび所有者詳細を符号化される１０オクテットによって定義することができる。たとえば、最初のオクテット（オクテット１）を、１つのＥＧＥ１０６のクラスおよびサブクラスを符号化するために割り当てることができ、次の５つのオクテット（オクテット２から６まで）を、ＥＧＥ１０６の登録番号を符号化するために割り当てることができ、残りのオクテット（オクテット７から１０まで）は、表５で言及したＥＧＥ１０６およびＥＧＥ１０６の所有者に関する追加の詳細を符号化することができる。最初のオクテットを分割して、ＥＧＥ１０６のクラスおよびサブクラスを符号化することができる。
【００９５】
一実施態様では、識別データ獲得モジュール２１４は、ＥＲＤ１０８からＥＧＥ識別データおよび所有者詳細を獲得することができる。入手されたＥＧＥ識別データおよび所有者詳細は、表５で言及したように、事前に割り当てられたオクテット内で符号化されている。一実施態様では、ＥＤＣＭシステム１０４の復号モジュール１１４は、本主題のＧＬＵメッセージを受信した後に、ＧＬＵメッセージを処理して、ＭＩからＥＧＥ識別データおよび所有者詳細を復号することができる。
【００９６】
一実施態様では、本主題のＧＬＵメッセージ内の情報要素を、さまざまな従来既知の形で符号化することができる。さらに、一実施態様では、ＬＡＩおよびＭＩを定義するオクテットの個数と、排出物データおよびＥＧＥ識別データを追加データと一緒に符号化するためのオクテットの割当とを、要件に応じて定義することができる。
【００９７】
一実施態様では、上で説明した形でハンドヘルド通信デバイス内で符号化されたＧＬＵメッセージは、ＢＴＳ／ＢＳＣを介してＶＭＳＣに送信される。ＶＭＳＣは、さらに、ＶＬＲと通信して、情報をＥＤＣＭシステム１０４にさらに通信する。ＶＭＳＣおよびＶＬＲでは、表６に示されるように、ＧＬＵメッセージの情報要素のマッピングが行われる。ＶＭＳＣでは、ＥＤＥＴシステム１０２から送信されたＧＬＵメッセージのＬＵＴ情報要素、ＣＫＳＮ情報要素、ＬＡＩ情報要素、およびＭＩ情報要素が、それぞれ対応するＬＵＴ情報要素、ＣＫＳＮ情報要素、ターゲットＬＡＩ情報要素、およびＩＭＳＩ情報要素にマッピングされ、これらが、ＶＬＲに通信される。ＶＬＲでは、ＬＵＴは、ＥＤＥＴシステム１０２からのＧＬＵメッセージが排出物およびＥＧＥに関連するデータを含むかどうかを識別するためにチェックされる。ＧＬＵメッセージが排出物およびＥＧＥに関連するデータを含むことを識別すると、ターゲットＬＡＩは、Ｓｕｐｐｏｒｔｅｄ  Ｃａｍｅｌ  ＰｈａｓｅおよびＥｘｔｅｎｓｉｏｎ  Ｃｏｎｔａｉｎｅｒにマッピングされ、ＩＭＳＩは、対応するＩＭＳＩにマッピングされ、これらが、ＥＤＣＭシステム１０４に通信される。
【００９８】
【表６】
2015504191.tif 000008
【００９９】
図３に、本主題の一実施形態による、ＧＳＭネットワーク内のＥＤＥＴシステム１０２とＥＤＣＭシステム１０４との間の通信のコール・フロー図３００を示す。コール・フロー図３００内で使用されるさまざまな矢印インジケータは、ＥＤＥＴシステム１０２、ＶＭＳＣ、ＶＬＲ、およびＥＤＣＭシステム１０４の間のデータの転送を示す。図３の説明は、ＧＳＭネットワークに関するが、通信を、他の遠隔通信ネットワークでも行えることを理解されたい。
【０１００】
コール・フロー図３００では、ステップ３００−１で、ＥＤＥＴシステム１０２は、ＧＳＭネットワークのクラスタ内のセルを選択するために、ＶＭＳＣと通信して、Ｂｒｏａｄｃａｓｔ  Ｃｏｎｔｒｏｌ  Ｃｈａｎｎｅｌ（ＢＣＣＨ）の信号強度に関する情報を入手する。セルを選択した後に、ＥＤＥＴシステム１０２は、ステップ３００−２で、ＧＬＵメッセージを送信するためのＶＭＳＣとの無線通信リンクを確立するために、Ｒａｄｉｏ  Ｒｅｓｏｕｒｃｅ（ＲＲ）チャネル要求を送信する。ＥＤＥＴシステム１０２からそのような要求を受信すると、ＶＭＳＣは、ステップ３００−３で、ＥＤＥＴシステム１０２にＲＲチャネルを割り当てる。無線通信リンクが確立された後に、ＥＤＥＴシステム１０２は、ステップ３００−４で、ｌｏｃａｔｉｏｎ  ｕｐｄａｔｅ（ＬＵ）要求と一緒にＲＲ  Ｓｅｔ  Ａｓｙｎｃｈｒｏｎｏｕｓ  Ｂａｌａｎｃｅ  Ｍｏｄｅ（ＳＡＢＭ）要求をＶＭＳＣに送信する。ＬＵ要求内で、本主題のＥＤＥＴシステム１０２によって符号化されたＧＬＵメッセージもＶＭＳＣに送信される。ＳＡＢＭおよびＧＬＵメッセージの受信を確認するために、ＶＭＳＣは、ステップ３００−５で、ＬＵ肯定応答メッセージをＥＤＥＴシステム１０２に送信する。
【０１０１】
ＧＬＵメッセージを受信した後に、ＶＭＳＣは、ステップ３００−６で、ｍａｐｐｅｄ  ｌｏｃａｔｉｏｎ  ａｒｅａ  ｕｐｄａｔｅ（ＭＡＰ＿ＬＡＵ）要求をＶＬＲに送信する。この要求内で、ＧＬＵメッセージのＬＵＴ情報要素、ＣＫＳＮ情報要素、ＬＡＩ情報要素、およびＭＩ情報要素が、表６に示されているようにマッピングされ、ＶＬＲに送信される。ＶＬＲは、ステップ３００−７でＬＡＵ肯定応答をＶＭＳＣに送り返して、マッピングされた情報要素の受信を確認する。その後、ＬＡＵ肯定応答が、ステップ３００−８でＶＭＳＣによってＥＤＥＴシステム１０２に送信される。
【０１０２】
マッピングされた情報要素を受信した後に、ＶＬＲは、ＬＵＴの値をチェックする。ＬＵＴの値が、排出物およびＥＧＥに関連するデータを通信するためにＥＤＥＴシステム１０２によってセットされた３であることがわかる場合には、ＶＬＲは、ステップ３００−９で、マッピングされたＬＵ要求をＥＤＣＭシステム１０４に送信する。この要求では、ＶＬＲでのターゲットＬＡＩ（ＬＡＩと共にマッピングされる）およびＩＭＳＩ（ＭＩと共にマッピングされる）情報要素が、表６に示されているようにマッピングされ、ＥＤＣＭシステム１０４に送信される。ＥＤＣＭシステム１０４は、マッピングされた情報要素を受信すると、ステップ３００−１０でＬＵ肯定応答をＶＬＲに送信し、ＶＬＲは、その後、ステップ３００−１１で、ＬＵ肯定応答をＶＭＳＣに送信する。ＥＤＣＭシステム１０４は、マッピングされた情報要素を受信した後、情報要素を処理して、その中で符号化された排出物データ、ＥＧＥ識別データ、および／または追加データを入手する。ステップ３００−１２で、ＶＭＳＣは、ＶＭＳＣとＥＤＥＴシステム１０２との間の無線通信リンクを解放するために、ＥＤＥＴシステム１０２にＲＲチャネル解放メッセージを送信し、そのようなメッセージを受信した後に、ＥＤＥＴシステム１０２は、ステップ３００−１３でＲＲ切断メッセージをＶＭＳＣに送信する。ＶＭＳＣは、ＥＤＥＴシステム１０２とＶＭＳＣとの間の無線通信リンクを切断し、ステップ３００−１４で、ＶＭＳＣは、ＲＲ切断肯定応答メッセージをＥＤＥＴシステム１０２に送信する。
【０１０３】
図４に、ＥＤＣＭシステム１０４によって計算されたＥＧＥ１０６の所有者のＥＧＥからの排出物の重大度レベルに基づいて、ＥＧＥ１０６の所有者に罰金を科するための、本主題の一実施形態による、ＥＤＣＭシステム１０４と金融システム１２０との間のＸＭＬインターフェースを介する通信のメッセージ・フロー図４００を示す。一実施態様では、金融システム１２０を、バンキング・エンティティまたはバンキング・ゲートウェイとすることができる。図４の説明は、ＸＭＬインターフェースを介する通信に関するが、通信を、インターネット・プロトコル（ＩＰ）ベースのインターフェースを介して行うこともできることを理解されたい。
【０１０４】
【表７】
2015504191.tif 000009
【０１０５】
メッセージ・フロー図４００では、ステップ４００−１で、ＥＤＣＭシステム１０４が、ＥＧＥ所有者に罰金を科するために、金融システム１２０にクレジット制御（ＣＣ）要求メッセージを送信する。ＣＣＲメッセージは、さまざまな属性値ペア（ＡＶＰ）を含む。一実施態様によるＣＣ要求メッセージのＡＶＰの一部を、表７に示す。ＡＶＰのそれぞれは、事前定義の長さを有し、表７で説明される情報を金融システム１２０に伝えるデータを含むことができる。たとえば、クレジット制御要求タイプは、イベント要求がＥＤＣＭシステム１０４によって行われることを伝えることができ、要求されるアクションは、口座の直接借方記入を行わなければならないことを伝えることができ、サービス識別子は、ＥＧＥの所有者の口座からの現金の差し引きの理由をＥＧＥの所有者に伝えることができ、サブスクリプション識別子データは、データ・リポジトリ１１６および／またはＥＤＣＭシステム１０４を用いて格納されたＥＧＥ所有者の銀行口座番号および／または他の詳細を伝えることができ、要求サービス・ユニットは、ＥＧＧ所有者の銀行口座に科せられ、差し引かれる罰金額を伝えることができる。ＣＣ要求メッセージを受信すると、金融システム１２０は、ＣＣ要求メッセージを処理し、ＡＶＰ内のデータに基づいて、罰金額を差し引くために処罰措置を講じることができる。
【０１０６】
【表８】
2015504191.tif 000010
【０１０７】
金融システム１２０は、処罰措置を講じた後に、ステップ４００−２で、クレジット制御（ＣＣ）応答メッセージをＥＤＣＭシステム１０４に送信して、処罰措置の結果を示す。ＣＣ応答メッセージは、処罰措置が成功であるかまたは処罰措置を完了する間にエラーが発生したのかのどちらかを伝える応答コードを含むことができる。表８に、一実施態様による、応答コードおよびそれによって伝えられる情報を示す。たとえば、罰金額がＥＧＥ所有者の口座から成功して差し引かれることを伝えるためには、応答コードは０であり、処罰措置がＥＧＥ所有者の銀行口座の不十分な残高に起因して不成功であったことを伝えるためには、応答コードは１である、などである。金融システム１２０からのＣＣ応答メッセージ内で受信された応答コードに基づいて、ＥＤＣＭシステム１０４は、処罰措置に関してＥＧＥ所有者に通信するために処置を講じることができる。
【０１０８】
図５は、本主題の一実施形態による、ＥＧＥ１０６に関連する排出物データおよびＥＧＥ識別データの符号化および送信の方法５００を示し、図６は、本主題の一実施形態による、ＥＧＥ１０６に関連する排出物データおよびＥＧＥ識別データの収集および監視の方法６００を示す。
【０１０９】
方法５００および６００が説明される順序は、限定と解釈されることを意図されたものではなく、任意の個数の説明される方法ブロックを、任意の順序で組み合わせて、方法５００および６００または代替の方法を実施することができる。さらに、本明細書で説明される主題の趣旨および範囲から逸脱せずに、個々のブロックを方法から削除することができる。さらに、方法を、任意の適切なハードウェア、ソフトウェア、ファームウェア、またはその組合せで実施することができる。
【０１１０】
当業者は、方法のステップを、プログラムされたコンピュータによって実行できることをたやすく認めるであろう。本明細書では、いくつかの実施形態が、機械可読またはコンピュータ可読であり、命令の機械実行可能またはコンピュータ実行可能プログラムを符号化するプログラム記憶デバイス、たとえば、デジタル・データ記憶媒体を包含することも意図されており、前記命令は、説明される方法のステップの一部またはすべてを実行する。プログラム記憶デバイスは、たとえば、デジタル・メモリ、磁気ディスクおよび磁気テープなどの磁気記憶媒体、ハード・ドライブ、または光学的に読取り可能なデジタル・データ記憶媒体とすることができる。実施形態は、例示的な方法の前記ステップを実行するように構成された通信ネットワークと通信デバイスの両方を包含することも意図されている。
【０１１１】
図５を参照すると、ＥＧＥ１０６に関連する排出物データおよびＥＧＥ識別データの符号化および送信の方法５００を、異なるネットワーク環境内で働くさまざまな通信デバイス内で実施することができるが、図５で説明される実施形態では、方法５００は、説明のしやすさのために、前述のＥＤＥＴシステム１０２の文脈で説明される。
【０１１２】
一実施態様では、ブロック５０２で、ＥＤＥＴシステム１０２が、少なくともＥＧＥ１０６に関連する排出物データを入手する。一実施態様では、ＥＤＥＴシステム１０２は、ＥＧＥ１０６に接続されたＥＲＤ１０８から排出物データを入手することができる。ＥＤＥＴシステム１０２は、ブロック５０２で、前に言及したようにＥＧＥ１０６の車両性能パラメータまたは技術パラメータなどの追加データを入手することもできる。ブロック５０４では、ＥＤＥＴシステム１０２が、少なくともＥＧＥ１０６に関連するＥＧＥ識別データを入手し、ＥＤＥＴシステム１０２は、ブロック５０４で、ＥＧＥ１０６の所有者の詳細などの追加データを入手することもできる。一実施態様では、ＥＤＥＴシステム１０２は、ＥＧＥ１０６に接続されたＥＲＤ１０８からＥＧＥ識別データを入手することができ、あるいは、ＥＧＥ識別データは、ＥＤＥＴシステム１０２に手作業で入力され得る。
【０１１３】
ＥＤＥＴシステム１０２は、排出物データおよびＥＧＥ識別データを他の関連データと一緒に入手すると、ブロック５０６で、排出物データおよびＥＧＥ識別データを含む符号化されたメッセージを生成する。符号化されたメッセージは、ブロック５０２および５０４で入手された追加データをも含むことができる。符号化されたメッセージは、遠隔通信ネットワーク、たとえばＧＳＭネットワークを介して送信できる、遠隔通信ベースの符号化されたメッセージである。
【０１１４】
一実施態様では、符号化されたメッセージは、ＧＬＵメッセージであり、ＧＳＭネットワークを介して、たとえば、ハンドヘルド通信デバイス、携帯電話機、スマート・フォン、およびＰＤＡなど、方法５００を実施する通信デバイスによって送信され得る。前記実施態様では、排出物データおよびＥＧＥ識別データは、追加データと一緒に、前に説明したように、ＧＬＵメッセージの事前定義の情報要素内で符号化される。
【０１１５】
符号化されたメッセージを生成した後に、ブロック５０８では、符号化されたメッセージが、遠隔通信ネットワーク・エンティティに送信される。符号化されたメッセージがＧＬＵメッセージである、上の例によれば、遠隔通信ネットワーク・エンティティは、ＶＭＳＣ／ＶＬＲとすることができる。遠隔通信ネットワーク・エンティティでは、ＥＤＥＴシステム１０２から受信された、符号化されたメッセージは、符号化されたメッセージがＥＧＥ１０６に関連する排出物データおよびＥＧＥ識別データを含むかどうかを判定するためにチェックされる。符号化されたメッセージが排出物データおよびＥＧＥ識別データを含むと判定されると、符号化されたメッセージは、排出物の収集および監視のためにＥＤＣＭシステム１０４に送信される。
【０１１６】
図６に、本主題の一実施形態による、ＥＧＥ１０６に関連する排出物データおよびＥＧＥ識別データの収集および監視の方法６００を示す。ＥＧＥ１０６に関連する排出物データおよびＥＧＥ識別データの収集および監視の方法６００を、異なるネットワーク環境内で作動しているさまざまなコンピューティング・システム内で実施することができるが、図６で説明される実施形態では、方法６００は、説明のしやすさのために、前述のＥＤＣＭシステム１０４の文脈で説明される。
【０１１７】
一実施態様では、ブロック６０２で、ＥＤＣＭシステム１０４が、ＥＤＥＴシステム１０２によって送信された、遠隔通信ネットワーク・エンティティからの、少なくともＥＧＥ１０６に関連する排出物データおよびＥＧＥ識別データを含む符号化されたメッセージを受信する。符号化されたメッセージは、前に言及したように追加データを含むことができる。符号化されたメッセージを受信すると、ＥＤＣＭシステム１０４は、ブロック６０４で、その中に存在する他の詳細と一緒に、排出物データおよびＥＧＥ識別データを復号するために、符号化されたメッセージを処理する。符号化されたメッセージを処理して、符号化されたメッセージ内で符号化された、さまざまなガス、ＳＰＭ、および／または他の有害物質の排出のレベルと、ＥＧＥ１０６のクラス、サブクラス、登録番号、および登録の位置とを入手することができる。符号化されたメッセージを処理して、符号化されたメッセージ内で符号化された、車両性能パラメータまたは技術パラメータおよび所有者詳細を入手することができる。
【０１１８】
一実施態様では、ブロック６０６で、ＥＧＥ１０６の排出物の重大度レベルを、符号化されたメッセージから入手されたＥＧＥ１０６によって放出されたさまざまなガス、ＳＰＭ、および／または他の有害物質の排出物のレベルを対応する規定された排出物限度と比較することによって、計算することができる。ＥＧＥ１０６の排出物の計算された重大度レベルに基づいて、少なくとも１つの事前定義のプロセスの排出物データ、ＥＧＥ識別データ、および／もしくは排出物の重大度レベルを通信し、または下で定義されるさらなる処置を講じるように、ＥＤＣＭシステム１０４を構成することができる。
【０１１９】
たとえば、ブロック６０８では、ＥＤＣＭシステム１０４が、排出物の計算された重大度レベルに基づいて、排出物に関する通知をＥＧＥ１０６またはＥＧＥ所有者に送信するように、通知システム１１８を用いて構成されたエンティティと通信することができる。一例では、ブロック６１０で、ＥＤＣＭシステム１０４が、排出物の計算された重大度レベルに基づいて、ＥＧＥ所有者に罰を科するように、金融システム１２０を用いて構成されたエンティティと通信することができる。もう１つの例では、ブロック６１２で、ＥＤＣＭシステム１０４が、ＥＧＥ１０６によって生成された排出物に関する統計および／またはレポートを生成するように、統計レポート生成システム１２２を用いて構成されたエンティティと通信することができる。さらに、一例では、ブロック６１４で、ＥＤＣＭシステム１０４が、排出物の重大度レベルに基づいて、ＥＧＥ１０６の炭素クレジットを計算するように、炭素クレジット計算システム１２４を用いて構成されたエンティティと通信することができる。
【０１２０】
もう１つの例で、ＥＤＣＭシステム１０４は、ＥＧＥ１０６が自動車両である場合に、車両の追跡のために車両追跡システムを有して構成されたエンティティにＥＧＥ識別データを通信することができる。他の例では、性能パラメータまたは技術パラメータを、ＥＧＥの保守または維持をスケジューリングするためにＥＧＥ所有者に通信することができる。入手された技術パラメータを、ＥＧＥクラスのプロファイリングに使用することができ、その後、調査会社またはマーケティング会社に情報を販売するのに使用することができる。もう１つの例では、ＥＧＥ１０６に関連するＥＧＥ識別データおよび追加データを、ＥＤＣＭシステム１０４で、ＥＧＥクラス・プロファイリングに使用することができる。たとえば、ＥＧＥ１０６としての自動車両の場合に、データを使用して、走行マイル数に関する車両のクラスの性能などを確かめることができる。その後、性能関連データをマーケティング会社および他の調査会社に販売することができ、あるいは、ＥＧＥユーザに通知することができ、これにより、問題を識別し、保守／サービスをスケジューリングするのを助けることができる。
【０１２１】
ＥＲＭシステム１００の実施態様を、構造的特徴および／または方法に固有の言葉で説明したが、添付の特許請求の範囲が、説明された特定の特徴または方法に必ずしも限定されないことを理解されたい。そうではなく、特定の特徴および方法は、排出物を報告し、監視する例示的実施態様として開示されるものである。
【図１】
2015504191.tif 000011
【図２】
2015504191.tif 000012
【図３】
2015504191.tif 000013
【図４】
2015504191.tif 000014
【図５】
2015504191.tif 000015
【図６】
2015504191.tif 000016
【国際調査報告】
2015504191.tif 000017
2015504191.tif 000018
2015504191.tif 000019